(57)【要約】【課題】画像送信システムにおいて、外部Ｐｕｂｌｉｃ  Ｓｅｒｖｉｃｅ情報の事前登録処理を簡単な方法で実行できるようにする。【解決手段】送信側常駐ソフトウェア６１は、パブリックサーバ３を利用するための外部Ｐｕｂｌｉｃ  Ｓｅｒｖｉｃｅ情報及び送信側端末を特定するための送信側端末情報を保持している。送信側常駐ソフトウェア６１は、送信側端末情報を利用することで第１ＭＦＰ５から宛先表を取得して、宛先表から選択された第２ＭＦＰ１１に対して外部Ｐｕｂｌｉｃ  Ｓｅｒｖｉｃｅ情報を送信する。第２ＭＦＰ１１は、受信側常駐ソフトウェア６３に対して外部Ｐｕｂｌｉｃ  Ｓｅｒｖｉｃｅ情報を送信する。受信側常駐ソフトウェア６３は、外部Ｐｕｂｌｉｃ  Ｓｅｒｖｉｃｅ情報を登録する。【選択図】図１
2013085060.tif 000002
【特許請求の範囲】
【請求項１】
画像データを送信するための画像送信システムであって、
宛先表を有する送信側端末と、前記送信側端末と通信可能な送信側常駐ソフトウェアがインストールされている送信側情報処理装置と、受信側端末と、前記受信側端末と通信可能な受信側常駐ソフトウェアがインストールされている受信側情報処理装置と、前記送信側常駐ソフトウェア及び前記受信側常駐ソフトウェアと通信可能なサーバと、を備え、
前記送信側常駐ソフトウェアは、前記サーバを利用するための外部Ｐｕｂｌｉｃ  Ｓｅｒｖｉｃｅ情報及び前記送信側端末を特定するための送信側端末情報を保持しており、
前記送信側常駐ソフトウェアは、前記送信側端末情報を利用することで前記送信側端末から前記宛先表を取得して、前記宛先表から選択された受信側端末に対して前記外部Ｐｕｂｌｉｃ  Ｓｅｒｖｉｃｅ情報を送信し、
前記受信側端末は、前記受信側常駐ソフトウェアに対して前記外部Ｐｕｂｌｉｃ  Ｓｅｒｖｉｃｅ情報を送信し、
前記受信側常駐ソフトウェアは、前記外部Ｐｕｂｌｉｃ  Ｓｅｒｖｉｃｅ情報を登録する、
画像送信システム。
【請求項２】
前記受信側端末が前記宛先表から選択されたときに、前記送信側端末は、当該受信側端末がサービス対象である旨の属性が追加されるように、前記宛先表を更新する、請求項１に記載の画像送信システム。
【請求項３】
前記受信側端末は、前記外部Ｐｕｂｌｉｃ  Ｓｅｒｖｉｃｅ情報を送信する前に前記受信側常駐ソフトウェアを検索し、検索の結果見つかった受信側常駐ソフトウェアに対して前記外部Ｐｕｂｌｉｃ  Ｓｅｒｖｉｃｅ情報を送信する、請求項１又は２に記載の画像送信システム。
【請求項４】
前記受信側端末は、前記受信側常駐ソフトウェアを見付けられない場合は、前記送信側端末に対してエラー通知を送信する、請求項３に記載の画像送信システム。
【請求項５】
前記送信側端末は、前記エラー通知を受信すれば、前記エラー通知を受信したことを前記送信側常駐ソフトウェアに送信し、
前記送信側常駐ソフトウェアは、前記エラー通知を受信したことを報知する、請求項４に記載の画像送信システム。
【請求項６】
前記受信側常駐ソフトウェアによる前記外部Ｐｕｂｌｉｃ  Ｓｅｒｖｉｃｅ情報の登録は自動的に行われる、請求項１〜５のいずれかに記載の画像送信システム。
【請求項７】
前記受信側常駐ソフトウェアによる前記外部Ｐｕｂｌｉｃ  Ｓｅｒｖｉｃｅ情報の登録は、オペレータからの許可を受けた場合に実行される、請求項１〜５のいずれかに記載の画像送信システム。
【請求項８】
画像データを送信するための画像送信システムであって、
宛先表を有しており送信側常駐ソフトウェアがインストールされている送信側端末と、受信側常駐ソフトウェアがインストールされている受信側端末と、前記送信側常駐ソフトウェア及び前記受信側常駐ソフトウェアと通信可能なサーバと、を備え、
前記送信側常駐ソフトウェアは、前記サーバを利用するための外部Ｐｕｂｌｉｃ  Ｓｅｒｖｉｃｅ情報を保持しており、
前記送信側常駐ソフトウェアは、前記宛先表から選択された受信側端末に対して、前記外部Ｐｕｂｌｉｃ  Ｓｅｒｖｉｃｅ情報を送信し、
前記受信側常駐ソフトウェアは、前記外部Ｐｕｂｌｉｃ  Ｓｅｒｖｉｃｅ情報を登録する、
画像送信システム。
【請求項９】
前記受信側端末が選択されたときに、前記送信側端末は、当該受信側端末がサービス対象である旨の属性が追加されるように、前記宛先表を更新する、請求項８に記載の画像送信システム。
【請求項１０】
前記受信側常駐ソフトウェアによる前記外部Ｐｕｂｌｉｃ  Ｓｅｒｖｉｃｅ情報の登録は自動的に実行される、請求項８又は９に記載の画像送信システム。
【請求項１１】
前記受信側常駐ソフトウェアによる前記外部Ｐｕｂｌｉｃ  Ｓｅｒｖｉｃｅ情報の登録は、オペレータからの許可を受けた場合に実行される、請求項８又は９に記載の画像送信システム。
【請求項１２】
宛先表を有する送信側端末と、送信側常駐ソフトウェアと、受信側端末と、受信側常駐ソフトウェアと、前記送信側常駐ソフトウェア及び前記受信側常駐ソフトウェアと通信可能なサーバと、を備えた画像送信システムに用いられ、画像データの送信を準備するための画像送信準備方法であって、
前記サーバを利用するための外部Ｐｕｂｌｉｃ  Ｓｅｒｖｉｃｅ情報の登録を受け付け、
前記送信側端末から前記宛先表を取得し、
前記宛先表から選択された受信側端末に対して前記外部Ｐｕｂｌｉｃ  Ｓｅｒｖｉｃｅ情報を送信し、
前記外部Ｐｕｂｌｉｃ  Ｓｅｒｖｉｃｅ情報を前記受信側常駐ソフトウェアに登録する、
画像送信準備方法。
【請求項１３】
宛先表を有する送信側端末と、送信側常駐ソフトウェアと、受信側端末と、受信側常駐ソフトウェアと、前記送信側常駐ソフトウェア及び前記受信側常駐ソフトウェアと通信可能なサーバと、を備えた画像送信システムに用いられる、送信側常駐ソフトウェアであって、
前記サーバを利用するための外部Ｐｕｂｌｉｃ  Ｓｅｒｖｉｃｅ情報の登録を受け付け、
前記送信側端末から前記宛先表を取得し、
前記宛先表から選択された受信側端末に対して前記外部Ｐｕｂｌｉｃ  Ｓｅｒｖｉｃｅ情報を送信する、送信側常駐ソフトウェア。
【請求項１４】
宛先表を有する送信側端末と、請求項１３に記載の送信側常駐ソフトウェアと、受信側端末と、受信側常駐ソフトウェアと、前記送信側常駐ソフトウェア及び前記受信側常駐ソフトウェアと通信可能なサーバと、を備えた画像送信システムに用いられる、受信側常駐ソフトウェアであって、
前記サーバを利用するための外部Ｐｕｂｌｉｃ  Ｓｅｒｖｉｃｅ情報を受信し、
前記外部Ｐｕｂｌｉｃ  Ｓｅｒｖｉｃｅ情報を登録する、受信側常駐ソフトウェア。
【発明の詳細な説明】
【技術分野】
【０００１】
本発明は、画像送信システム、特に、パブリックサーバに画像データをアップロードする画像送信システムに関する。
【背景技術】
【０００２】
大容量の画像データをＦＡＸ送信又は電子メール送信（Ｉ−ＦＡＸ送信）する場合、外部Ｐｕｂｌｉｃ  Ｓｅｒｖｉｃｅを用いることが行われている。従来の方法では電話料金又はメールサーバの容量制限の問題があるからである。
外部Ｐｕｂｌｉｃ  Ｓｅｒｖｉｃｅを用いる場合は、送信側端末が、画像データを外部Ｐｕｂｌｉｃ  Ｓｅｒｖｉｃｅのストレージであるパブリックサーバにアップロードし、さらにアクセス情報を受信側端末に送信する。受信側端末は、アクセス情報を用いて、パブリックサーバから画像データをダウンロードする（例えば、特許文献１を参照。）。
【先行技術文献】
【特許文献】
【０００３】
【特許文献１】再公表特許９７／３８５１０
【発明の概要】
【発明が解決しようとする課題】
【０００４】
上記のような画像送信システムでは、画像データの送受信を実行するためには、送信側端末と受信側端末の双方に外部Ｐｕｂｌｉｃ  Ｓｅｒｖｉｃｅ情報が登録されている必要がある。外部Ｐｕｂｌｉｃ  Ｓｅｒｖｉｃｅ情報とは、外部Ｐｕｂｌｉｃ  Ｓｅｒｖｉｃｅにアクセスするための情報であって、例えば、ＵＲＬ、ユーザアカウントＩＤ及びパスワードを含んでいる。
外部Ｐｕｂｌｉｃ  Ｓｅｒｖｉｃｅ情報の登録のタイミングは、送受信実行より前であることが好ましい。その理由は、画像データの送受信を迅速に実行し、さらに、外部Ｐｕｂｌｉｃ  Ｓｅｒｖｉｃｅのストレージにおける画像データの保存期間を短くするためである。また、複数種の外部Ｐｕｂｌｉｃ  Ｓｅｒｖｉｃｅ情報を登録することを考慮すると、登録処理の簡素化が望まれる。
【０００５】
本発明の課題は、画像送信システムにおいて、外部Ｐｕｂｌｉｃ  Ｓｅｒｖｉｃｅ情報の事前登録処理を簡単な方法で実行できるようにすることにある。
【課題を解決するための手段】
【０００６】
以下に、課題を解決するための手段として複数の態様を説明する。これら態様は、必要に応じて任意に組み合せることができる。
【０００７】
本発明の一見地に係る画像送信システムは、画像データを送信するためのシステムであって、宛先表を有する送信側端末と、送信側端末と通信可能な送信側常駐ソフトウェアがインストールされている送信側情報処理装置と、受信側端末と、受信側端末と通信可能な受信側常駐ソフトウェアがインストールされている受信側情報処理装置と、送信側常駐ソフトウェア及び受信側常駐ソフトウェアと通信可能なサーバと、を備えている。
送信側常駐ソフトウェアは、サーバを利用するための外部Ｐｕｂｌｉｃ  Ｓｅｒｖｉｃｅ情報及び送信側端末を特定するための送信側端末情報を保持している。送信側常駐ソフトウェアは、送信側端末情報を利用することで送信側端末から宛先表を取得して、宛先表から選択された受信側端末に対して外部Ｐｕｂｌｉｃ  Ｓｅｒｖｉｃｅ情報を送信する。受信側端末は、受信側常駐ソフトウェアに対して外部Ｐｕｂｌｉｃ  Ｓｅｒｖｉｃｅ情報を送信する。受信側常駐ソフトウェアは、外部Ｐｕｂｌｉｃ  Ｓｅｒｖｉｃｅ情報を登録する。
このシステムでは、送信側端末に保持された宛先表を用いることにより、送信側常駐ソフトウェアが、外部Ｐｕｂｌｉｃ  Ｓｅｒｖｉｃｅ情報を受信側端末に送信する。そして、受信側端末が、外部Ｐｕｂｌｉｃ  Ｓｅｒｖｉｃｅ情報を受信側常駐ソフトウェアに送信する。最後に、受信側常駐ソフトウェアが、外部Ｐｕｂｌｉｃ  Ｓｅｒｖｉｃｅ情報を登録する。このようにして、オペレータが外部Ｐｕｂｌｉｃ  Ｓｅｒｖｉｃｅを入力することなく、受信側端末に外部Ｐｕｂｌｉｃ  Ｓｅｒｖｉｃｅ情報が登録される。この結果、画像送信システムにおいて、外部Ｐｕｂｌｉｃ  Ｓｅｒｖｉｃｅ情報の事前登録処理が簡単な方法で実行される。
送信側端末から画像データが送信側常駐ソフトウェアを介してサーバにアップロードされれば、次に受信側端末から受信側常駐ソフトウェアにダウンロード要求が送信され、受信側常駐ソフトウェアが、外部Ｐｕｂｌｉｃ  Ｓｅｒｖｉｃｅ情報を利用することで画像データをサーバからダウンロードして、さらに画像データを受信側端末に送信する。
【０００８】
受信側端末が宛先表から選択されたときに、送信側端末は、当該受信側端末がサービス対象である旨の属性が追加されるように、宛先表を更新してもよい。
このシステムでは、受信側端末が一度選択されれば宛先表が更新されるので、それ以降に、オペレータは、受信側端末を選択するときに、その受信側端末がすでにサービス対象になっていることを知ることができる。
【０００９】
受信側端末は、外部Ｐｕｂｌｉｃ  Ｓｅｒｖｉｃｅ情報を送信する前に受信側常駐ソフトウェアを検索し、検索の結果見つかった受信側常駐ソフトウェアに対して外部Ｐｕｂｌｉｃ  Ｓｅｒｖｉｃｅ情報を送信してもよい。
このシステムでは、受信側常駐ソフトウェアがインストールされている受信側情報処理装置に関する情報を、受信側端末に予め登録しておく必要がない。
【００１０】
受信側端末は、受信側常駐ソフトウェアを見付けられない場合は、送信側端末に対してエラー通知を送信してもよい。
このシステムでは、送信側端末が、受信側常駐ソフトウェアへの登録ができなかったことを知ることができる。
【００１１】
送信側端末は、エラー通知を受信すれば、エラー通知を受信したことを送信側常駐ソフトウェアに送信してもよい。その場合、送信側常駐ソフトウェアは、エラー通知を受信したことを報知する。
このシステムでは、受信側常駐ソフトウェアのオペレータが、エラーの発生を知ることができる。
【００１２】
受信側常駐ソフトウェアによる外部Ｐｕｂｌｉｃ  Ｓｅｒｖｉｃｅ情報の登録は、自動的に行われてもよい。
このシステムでは、オペレータによる操作が無くても、受信側常駐ソフトウェアに外部Ｐｕｂｌｉｃ  Ｓｅｒｖｉｃｅ情報を登録できる。
【００１３】
受信側常駐ソフトウェアによる外部Ｐｕｂｌｉｃ  Ｓｅｒｖｉｃｅ情報の登録は、オペレータからの許可を受けた場合に実行されてもよい。
このシステムでは、オペレータによって許可された外部Ｐｕｂｌｉｃ  Ｓｅｒｖｉｃｅ情報のみが登録できる。言い換えれば、オペレータによる許可無しで外部Ｐｕｂｌｉｃ  Ｓｅｒｖｉｃｅ情報が登録されることを防止できる。
【００１４】
本発明の他の見地に係る画像送信システムは、画像データを送信するためのシステムであって、宛先表を有しており送信側常駐ソフトウェアがインストールされている送信側端末と、受信側常駐ソフトウェアがインストールされている受信側端末と、送信側常駐ソフトウェア及び受信側常駐ソフトウェアと通信可能なサーバと、を備えている。
送信側常駐ソフトウェアは、サーバを利用するための外部Ｐｕｂｌｉｃ  Ｓｅｒｖｉｃｅ情報を保持している。送信側常駐ソフトウェアは、宛先表から選択された受信側端末に対して、外部Ｐｕｂｌｉｃ  Ｓｅｒｖｉｃｅ情報を送信する。受信側常駐ソフトウェアは、外部Ｐｕｂｌｉｃ  Ｓｅｒｖｉｃｅ情報を登録する。
このシステムでは、送信側端末に保持された宛先表を用いることにより、送信側常駐ソフトウェアが、外部Ｐｕｂｌｉｃ  Ｓｅｒｖｉｃｅ情報を受信側端末に送信する。そして、受信側常駐ソフトウェアが、外部Ｐｕｂｌｉｃ  Ｓｅｒｖｉｃｅ情報を登録する。このようにして、オペレータが入力することなく、受信側端末に外部Ｐｕｂｌｉｃ  Ｓｅｒｖｉｃｅ情報を登録できる。この結果、画像送信システムにおいて、外部Ｐｕｂｌｉｃ  Ｓｅｒｖｉｃｅ情報の事前登録処理が簡単な方法で実行される。
【００１５】
受信側端末が選択されたときに、送信側端末は、当該受信側端末がサービス対象である旨の属性が追加されるように、宛先表を更新してもよい。
【００１６】
受信側常駐ソフトウェアによる外部Ｐｕｂｌｉｃ  Ｓｅｒｖｉｃｅ情報の登録は、自動的に実行されてもよい。
【００１７】
受信側常駐ソフトウェアによる外部Ｐｕｂｌｉｃ  Ｓｅｒｖｉｃｅ情報の登録は、オペレータからの許可を受けた場合に実行されてもよい。
【００１８】
本発明のさらに他の見地に係る画像送信準備方法は、宛先表を有する送信側端末と、送信側常駐ソフトウェアと、受信側端末と、受信側常駐ソフトウェアと、送信側常駐ソフトウェア及び受信側常駐ソフトウェアと通信可能なサーバと、を備えた画像送信システムに用いられる。画像送信準備方法は、画像データの送信を準備するための方法であり、以下の工程を含んでいる。
◎サーバを利用するための外部Ｐｕｂｌｉｃ  Ｓｅｒｖｉｃｅ情報の登録を受け付ける。
◎送信側端末から宛先表を取得する。
◎宛先表から選択された受信側端末に対して、外部Ｐｕｂｌｉｃ  Ｓｅｒｖｉｃｅ情報を送信する。
◎外部Ｐｕｂｌｉｃ  Ｓｅｒｖｉｃｅ情報を、受信側常駐ソフトウェアに登録する。
この方法では、送信側端末に保持された宛先表を用いることにより、外部Ｐｕｂｌｉｃ  Ｓｅｒｖｉｃｅ情報が受信側端末に送信される。そして、外部Ｐｕｂｌｉｃ  Ｓｅｒｖｉｃｅ情報が、受信側常駐ソフトウェアに登録される。このようにして、オペレータが入力することなく、受信側端末に外部Ｐｕｂｌｉｃ  Ｓｅｒｖｉｃｅ情報が登録される。この結果、画像送信システムにおいて、外部Ｐｕｂｌｉｃ  Ｓｅｒｖｉｃｅ情報の事前登録処理が簡単な方法で実行される。
【００１９】
本発明のさらに他の見地に係る送信側常駐ソフトウェアは、宛先表を有する送信側端末と、送信側常駐ソフトウェアと、受信側端末と、受信側常駐ソフトウェアと、送信側常駐ソフトウェア及び受信側常駐ソフトウェアと通信可能なサーバと、を備えた画像送信システムに用いられる。送信側常駐ソフトウェアは、以下の工程を実行する。
◎サーバを利用するための外部Ｐｕｂｌｉｃ  Ｓｅｒｖｉｃｅ情報の登録を受け付ける。
◎送信側端末から宛先表を取得する。
◎宛先表から選択された受信側端末に対して、外部Ｐｕｂｌｉｃ  Ｓｅｒｖｉｃｅ情報を送信する。
このソフトウェアは、送信側端末に登録された外部Ｐｕｂｌｉｃ  Ｓｅｒｖｉｃｅ情報を用いることにより、受信側端末に外部Ｐｕｂｌｉｃ  Ｓｅｒｖｉｃｅ情報を送信する。したがって、オペレータが受信側端末に対して外部Ｐｕｂｌｉｃ  Ｓｅｒｖｉｃｅ情報を登録する必要がない。以上の結果、画像送信システムにおいて、外部Ｐｕｂｌｉｃ  Ｓｅｒｖｉｃｅ情報の事前登録処理が簡単な方法で実行され。
【００２０】
本発明のさらに他の見地に係る受信側常駐ソフトウェアは、宛先表を有する送信側端末と、上記の送信側常駐ソフトウェアと、受信側端末と、受信側常駐ソフトウェアと、送信側常駐ソフトウェア及び受信側常駐ソフトウェアと通信可能なサーバと、を備えた画像送信システムに用いられる。受信側常駐ソフトウェアは、以下の工程を実行する。
◎サーバを利用するための外部Ｐｕｂｌｉｃ  Ｓｅｒｖｉｃｅ情報を受信する。
◎外部Ｐｕｂｌｉｃ  Ｓｅｒｖｉｃｅ情報を登録する。
このソフトウェアでは、受信側常駐ソフトウェアが、外部Ｐｕｂｌｉｃ  Ｓｅｒｖｉｃｅ情報を送信側常駐ソフトウェアから受信して、登録する。このようにして、画像送信システムにおいて、外部Ｐｕｂｌｉｃ  Ｓｅｒｖｉｃｅ情報の事前登録処理を簡単な方法で実行できるようになる。
【発明の効果】
【００２１】
本発明によれば、画像送信システムにおいて、外部Ｐｕｂｌｉｃ  Ｓｅｒｖｉｃｅ情報の事前登録処理を簡単な方法で実行できるようになる。
【図面の簡単な説明】
【００２２】
【図１】本発明の一実施形態としての画像送信システムの模式図。
【図２】第１ＭＦＰと第１ＰＣの制御ブロック図。
【図３】第２ＭＦＰと第２ＰＣの制御ブロック図。
【図４Ａ】送信側常駐ソフトウェアの登録処理を示すフローチャート。
【図４Ｂ】送信側常駐ソフトウェアの登録処理を示すフローチャート。
【図５Ａ】送信側ＭＦＰの登録依頼処理を示すフローチャート。
【図５Ｂ】送信側ＭＦＰの登録依頼処理を示すフローチャート。
【図６Ａ】受信側ＭＦＰの登録処理を示すフローチャート。
【図６Ｂ】受信側ＭＦＰの登録処理を示すフローチャート。
【図６Ｃ】受信側ＭＦＰの登録処理を示すフローチャート。
【図７Ａ】受信側常駐ソフトウェアの登録処理を示すフローチャート。
【図７Ｂ】受信側常駐ソフトウェアの登録処理を示すフローチャート。
【図８Ａ】ＭＦＰ送信処理を示すフローチャート。
【図８Ｂ】ＭＦＰ送信処理を示すフローチャート。
【図８Ｃ】ＭＦＰ送信処理を示すフローチャート。
【図９】送信側常駐ソフトウェアのアップロード処理を示すフローチャート。
【図１０Ａ】ＭＦＰ受信処理を示すフローチャート。
【図１０Ｂ】ＭＦＰ受信処理を示すフローチャート。
【図１１】受信側常駐ソフトウェアのアップロード処理を示すフローチャート。
【図１２Ａ】ＭＦＰ再送信処理を示すフローチャート（第２実施形態）
【図１２Ｂ】ＭＦＰ再送信処理を示すフローチャート（第２実施形態）
【図１２Ｃ】ＭＦＰ再送信処理を示すフローチャート（第２実施形態）
【図１３】画像送信システムの模式図（第３実施形態）。
【図１４】第１ＭＦＰと第２ＭＦＰの制御ブロック図（第３実施形態）。
【図１５】送信Ｗｅｂ登録処理を示すフローチャート（第３実施形態）。
【図１６Ａ】受信側ＭＦＰの登録依頼処理を示すフローチャート（第３実施形態）。
【図１６Ｂ】受信側ＭＦＰの登録依頼処理を示すフローチャート（第３実施形態）。
【図１７Ａ】受信側ＭＦＰの登録処理を示すフローチャート（第３実施形態）。
【図１７Ｂ】受信側ＭＦＰの登録処理を示すフローチャート（第３実施形態）。
【図１８Ａ】ＭＦＰ送信処理を示すフローチャート（第３実施形態）。
【図１８Ｂ】ＭＦＰ送信処理を示すフローチャート（第３実施形態）。
【図１８Ｃ】ＭＦＰ送信処理を示すフローチャート（第３実施形態）。
【図１９Ａ】ＭＦＰ再送信処理を示すフローチャート（第３実施形態）。
【図１９Ｂ】ＭＦＰ再送信処理を示すフローチャート（第３実施形態）。
【図１９Ｃ】ＭＦＰ再送信処理を示すフローチャート（第３実施形態）。
【図２０Ａ】ＭＦＰ受信処理を示すフローチャート（第３実施形態）。
【図２０Ｂ】ＭＦＰ受信処理を示すフローチャート（第３実施形態）。
【図２１】表示部におけるスキャン機能設定画面の一例（第１実施形態）。
【図２２】表示部におけるスキャン機能設定画面の一例（第１実施形態）。
【図２３】表示部におけるスキャン機能設定画面の一例（第２実施形態）。
【発明を実施するための形態】
【００２３】
１．第１実施形態
（１）画像処理システム
図１を用いて、本発明の一実施形態が採用された画像送信システム１を説明する。図１は、本発明の一実施形態としての画像送信システムの模式図である。
【００２４】
画像送信システム１は、パブリックサーバ３を介して画像データを送受信するためのシステムである。パブリックサーバ３に保存された画像データは、ＬＡＮ、インターネット、携帯電話網などを介してアクセス可能である。
パブリックサーバ３は、サーバとして一般的な機能を有しており、第１ＰＣ７及び第２ＰＣ１３とそれぞれ通信可能である。この実施形態では、パブリックサーバ３は、第１ＰＣ７から画像データを受信して、次に第２ＰＣ１３に画像データを送信する。
パブリックサーバ３の一般的な機能については説明を省略するが、パブリックサーバ３は、図２に示すように、記憶部８１を有しており、記憶部８１には複数の仮想記憶エリア８３が形成されている。
【００２５】
画像送信システム１は、送信側の装置として、第１ＭＦＰ（Ｍｕｌｔｉｆｕｎｃｔｉｏｎ  Ｐｅｒｉｐｈｅｒａｌ）５と、第１ＰＣ７とを有している。
第１ＭＦＰ５は、本実施形態では画像読取装置として機能しており、原稿Ｄをスキャンすることで画像データを形成し、次に画像データを他の装置に転送する。
【００２６】
第１ＰＣ７は、パーソナル・コンピュータである。第１ＰＣ７は、第１ＬＡＮ９を介して第１ＭＦＰ５に接続されている。第１ＰＣ７は、第１ＭＦＰ５から転送された画像データを受信する。第１ＭＦＰ５と第１ＰＣ７は、例えば、ＨＴＴＰ（Ｈｙｐｅｒｔｅｘｔ  Ｔｒａｎｓｆｅｒ  Ｐｒｏｔｏｃｏｌ）を用いて通信を行う。
【００２７】
画像送信システム１は、受信側の装置として、第２ＭＦＰ１１と、第２ＰＣ１３とを有している。
第２ＭＦＰ１１は、第１ＭＦＰ５と同様の構造及び機能を有している。第１ＭＦＰ５と第２ＭＦＰ１１は通信可能に接続されていればよく、接続手段はＬＡＮ、インターネット、電話回線のいずれであってもよい。
【００２８】
第２ＰＣ１３は、第２ＬＡＮ１５を介して第２ＭＦＰ１１に接続されている。第２ＰＣ１３は、第２ＭＦＰ１１に画像データを送信する。第２ＭＦＰ１１と第２ＰＣ１３は、例えば、ＨＴＴＰ（Ｈｙｐｅｒｔｅｘｔ  Ｔｒａｎｓｆｅｒ  Ｐｒｏｔｏｃｏｌ）を用いて通信を行う。
【００２９】
なお、画像送信システム１には、他のＭＦＰ及びＰＣが設けられていてもよい。
【００３０】
（２）ＭＦＰ
図２及び図３を用いて、第１ＭＦＰ５及び第２ＭＦＰ１１の機能を説明する。図２及び図３は、ＭＦＰとＰＣの制御ブロック図である。
【００３１】
第１ＭＦＰ５及び第２ＭＦＰ１１は、プリント機能、コピー機能、ＦＡＸ（ファクシミリ）機能、及びＩＦＡＸ（インターネットＦＡＸ）機能を備えたネットワーク複合機である。具体的には、第１ＭＦＰ５及び第２ＭＦＰ１１は、プリンタ２１、スキャナ２３、ＦＡＸ制御部２５、及びＩＦＡＸ制御部２７を有している。第１ＭＦＰ５及び第２ＭＦＰ１１は、さらに、制御部２９、記憶部３１、操作部３３、表示部３５、ＮＣＵ（Ｎｅｔｗｏｒｋ  Ｃｏｎｔｒｏｌ  Ｕｎｉｔ）３７、モデム３９、及びネットワークＩ／Ｆ４１を有している。また、第１ＭＦＰ５及び第２ＭＦＰ１１は、バス４３を備えており、第１ＭＦＰ５及び第２ＭＦＰ１１内の各部はバス４３によって互いに接続されている。
【００３２】
プリンタ２１は、ＦＡＸ制御部２５及びＩＦＡＸ制御部２７が受信したファクシミリデータ、コピーの指示に基づいてスキャナ２３が作成した画像データ、並びにＰＣから送られてきた印刷データを印刷する。つまり、プリンタ２１は、ネットワーク複合機のファクシミリ機能、コピー機能、プリンタ機能の出力部として機能する。プリンタ２１は、例えば、電子写真方式を採用している。
【００３３】
スキャナ２３は、原稿から画像を読み取るスキャナ機能を実現する。具体的には、スキャナ２３は、原稿を光学的に走査して画像を読み取り、例えば、ＴＩＦＦ（Ｔａｇｇｅｄ  Ｉｍａｇｅ  Ｆｉｌｅ  Ｆｏｒｍａｔ）形式の画像データとして出力する。スキャナ２３は、例えば、ＣＣＤ（Ｃｈａｒｇｅ  Ｃｏｕｐｌｅｄ  Ｄｅｖｉｃｅ）等のイメージセンサを有している。本実施形態において、スキャナ２３は、複数枚の原稿を連続して読み取り可能なオートシートフィーダを備えている。
【００３４】
ＦＡＸ制御部２５は、ＮＣＵ３７及びモデム３９によって行われるＰＳＴＮ（Ｐｕｂｌｉｃ  Ｓｗｉｔｃｈｅｄ  Ｔｅｌｅｐｈｏｎｅ  Ｎｅｔｗｏｒｋ）４５を介したＦＡＸの送受信を制御する。ＩＦＡＸ制御部２７は、ネットワークＩ／Ｆ４１を介して行われるＩＦＡＸの送受信を制御する。
【００３５】
制御部２９は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）を含むコンピュータである。制御部２９は、ＭＦＰの各部を制御する制御部であり、ＲＯＭに格納される各種プログラムを読み出して実行することによって、コピー機能、プリンタ機能、ファクシミリ機能及びネットワーク機能等を実現する。ＲＯＭは、制御プログラム又は予め設定されているパラメータ等を格納する。ＲＡＭは、プログラムを実行するための作業領域として機能する。
【００３６】
記憶部３１は、各種データを保存する。例えば、記憶部３１は、スキャナ２３から出力された画像データを一時的に保存する。
【００３７】
操作部３３は、ＭＦＰの操作パネル上に設けられたキーボード、スイッチ、操作ボタン、タッチパネルなどであり、オペレータが操作指示を行うのに使用する。すなわち、オペレータは、操作部３３を用いてコピー、スキャン、又はファクシミリ送信等の指示を入力することができる。表示部３５は、操作部３３で入力された操作の内容を含む各種情報を表示する。表示部３５は、例えば、液晶パネルである。
本実施形態において、例えば、操作部３３はタッチパネルであり、表示部３５はタッチパネルの下方に配置された液晶パネルであり、両者によりスキャン時の各種設定をオペレータにさせるためのユーザインタフェースが提供される（図２１及び図２２参照）。スキャン時の設定としては、例えば、カラー／モノクロ指定、解像度、出力倍率などの他に、スキャン属性として、スキャン方式の指定などを含むことができる。
【００３８】
ネットワークＩ／Ｆ４１は、ＬＡＮを介して、他の装置とデータの送受信を行う通信部として機能する。
【００３９】
（３）ＰＣ
第１ＰＣ７及び第２ＰＣ１３は、図２及び図３に示すように、制御部５１と、記憶部５３と、操作部５５と、表示部５７と、ネットワークＩ／Ｆ５９を有している。制御部５１は、ＣＰＵ、ＲＡＭ、ＲＯＭ等からなるコンピュータである。
【００４０】
制御部５１には、第１ＰＣ７及び第２ＰＣ１３の各種機能を実現するための常駐ソフトウェア６１、６３がインストールされている。具体的には、第１ＰＣ７には、送信側常駐ソフトウェア６１がインストールされており、第２ＰＣ１３には、受信側常駐ソフトウェア６３がインストールされている。なお、第１ＰＣ７に受信側常駐ソフトウェアがインストールされていてもよいし、第２ＰＣに送信側常駐ソフトウェアがインストールされていてもよい。さらには、送信側常駐ソフトウェアと受信側常駐ソフトウェアは単体のソフトウェアとして実現されていてもよい。
送信側常駐ソフトウェア６１及び受信側常駐ソフトウェア６３の機能については、下記の制御動作で説明する。
送信側常駐ソフトウェア６１及び受信側常駐ソフトウェア６３は、ダウンロードによって適宜更新可能である。また、複数の常駐ソフトウェアがＰＣにインストールされていてもよい。
【００４１】
記憶部５３は、他の装置から転送された画像データを受信し格納する複数のローカル共有フォルダ７１を有する。ローカル共有フォルダ７１は、ＭＦＰとの間で共有される。ローカル共有フォルダ７１は、例えば、パブリックサーバ３の仮想記憶エリア８３と一対一で対応している。ローカル共有フォルダ７１は階層構造とすることもでき、オペレータが転送先として指定した任意のフォルダの配下に仮想記憶エリア８３に対応する複数のフォルダを含むことができる。
【００４２】
操作部５５は、例えば、タッチパネル、キーボード及びマウスからなる。
表示部５７は、例えば、液晶ディスプレイからなる。
【００４３】
（４）送信側常駐ソフトウェアにおける外部Ｐｕｂｌｉｃ  Ｓｅｒｖｉｃｅ情報の登録処理
図４Ａ及び図４Ｂを用いて、送信側常駐ソフトウェアにおける外部Ｐｕｂｌｉｃ  Ｓｅｒｖｉｃｅ情報の登録処理を説明する。以下の処理は、主に、ＰＣ（例えば、第１ＰＣ７）の送信側常駐ソフトウェア（例えば、送信側常駐ソフトウェア６１）によって実行される。
【００４４】
ステップＳ１では、オペレータが外部Ｐｕｂｌｉｃ  Ｓｅｒｖｉｃｅ名（例えば、パブリックサーバ３の名称）を入力し、それが記憶される。
【００４５】
ステップＳ２では、オペレータからの入力作業によって、外部Ｐｕｂｌｉｃ  ＳｅｒｖｉｃｅのユーサーアカウントＩＤ、パスワードが登録される。
【００４６】
ステップＳ３では、例えば、ＵＤＰ／ＩＰパケットブロードキャスト送信を用いて、ＬＡＮ（例えば、第１ＬＡＮ９）上のＭＦＰ取得要求処理を実行する（ステップＳ２２に対応）。
【００４７】
ステップＳ４では、所定時間Ｔ１が経過するのを待つ。この間に、登録済みＭＦＰ名、ＭＦＰのＩＰアドレス情報を送信側ＭＦＰから受信する。（ステップＳ２３に対応）。
ステップＳ５では、ＬＡＮ上のＭＦＰ一覧を表示部５７に表示する。
【００４８】
ステップＳ６では、オペレータが、表示済みＭＦＰ一覧内に指定ＭＦＰ（例えば、第１ＭＦＰ５）があるか否かを判断する。「Ｙｅｓ」の場合にプロセスはステップＳ７に移行し、「Ｎｏ」場合にプロセスはステップＳ８に移行する。
【００４９】
ステップＳ７では、表示済みＭＦＰ一覧からの１台のＭＦＰが選択されるのを受け付ける。つまり、１台の送信ＭＦＰが選択される。
ステップＳ８では、手動でのＭＦＰのＩＰアドレス入力を受け付ける。
【００５０】
ステップＳ９では、外部Ｐｕｂｌｉｃ  Ｓｅｒｖｉｃｅ名情報、外部Ｐｕｂｌｉｃ  Ｓｅｒｖｉｃｅ情報（ＩＰアドレス／ＵＲＬ情報、ユーザアカウント情報、パスワード情報）を指定ＭＦＰ（例えば、第１ＭＦＰ５）に送信する。以下、外部Ｐｕｂｌｉｃ  Ｓｅｒｖｉｃｅ名情報及び外部Ｐｕｂｌｉｃ  Ｓｅｒｖｉｃｅ情報をまとめて、「パブリッククラウドサービス情報」とする。
【００５１】
ステップＳ１０では、指定ＭＦＰとしての送信側ＭＦＰに対して、送信側ＭＦＰに記憶されている宛先表データの送信を要求する。「宛先表」とは、送信先を選択するときの選択肢となる複数の宛先情報から構成されるものである。
ステップＳ１１では、指定ＭＦＰの送信宛先データを指定ＭＦＰから受信するのを待つ。
【００５２】
ステップＳ１２では、指定ＭＦＰの送信宛先データを表示部５７に表示する。
ステップＳ１３では、オペレータが指定送信宛先を表示済み送信宛先一覧から選択するのを受け付ける。つまり、選択したＭＦＰの宛先表に登録しているユーザの中から、外部Ｐｕｂｌｉｃ  Ｓｅｒｖｉｃｅを用いて送信したいユーザを選択する。
【００５３】
ステップＳ１４では、指定ＭＦＰ（例えば、送信側ＭＦＰである第１ＭＦＰ５）に対して、指定送信宛先（例えば、受信側ＭＦＰである第２ＭＦＰ１１）に対する外部Ｐｕｂｌｉｃ  Ｓｅｒｖｉｃｅ登録指示を送信する（ステップＳ２６に対応）。なお、登録指示には、パブリッククラウドサービス情報が含まれている。以後、外部Ｐｕｂｌｉｃ  Ｓｅｒｖｉｃｅ登録指示が、送信側ＭＦＰ、受信側ＭＦＰ、受信側常駐ソフトウェアの順に送信される。受信側常駐ソフトウェアは、受信側ＭＦＰからの登録指示を受ければ、登録情報を登録する。
【００５４】
ステップＳ１５では、指定送信宛先（受信側ＭＦＰ）の外部Ｐｕｂｌｉｃ  Ｓｅｒｖｉｃｅ登録結果が受信されるのを待つ（ステップＳ３４に対応）。言い換えると、受信側ＭＦＰから外部Ｐｕｂｌｉｃ  Ｓｅｒｖｉｃｅ登録結果を受信したか否かを判断する。外部Ｐｕｂｌｉｃ  Ｓｅｒｖｉｃｅ登録結果とは、受信側常駐ソフトウェアにおける登録情報の登録結果である。なお、受信側ＭＦＰは、受信側常駐ソフトウェアから受信した登録結果に基づいて、受信側常駐ソフトウェアにおける登録情報の登録結果を判定する（ステップＳ６０、Ｓ６１、Ｓ６４等）。
ステップＳ１６では、指定送信宛先（受信側ＭＦＰ）の外部Ｐｕｂｌｉｃ  Ｓｅｒｖｉｃｅ登録結果を表示部５７に表示する。
【００５５】
ステップＳ１７では、指定ＭＦＰ（例えば、送信側ＭＦＰである第１ＭＦＰ５）に対しての指定送信宛先（受信側ＭＦＰ）に対する外部Ｐｕｂｌｉｃ  Ｓｅｒｖｉｃｅの登録が終了したか否かを判断する。「Ｙｅｓ」であればプロセスはステップＳ１８に移行し、「Ｎｏ」であればプロセスはステップＳ１３に戻る。この結果、ステップＳ１３で次の送信宛先が選択され、ステップＳ１４で登録指示が送信される。以上のようにして、複数の送信宛先に対して、外部Ｐｕｂｌｉｃ  Ｓｅｒｖｉｃｅ登録指示が行われる。
【００５６】
ステップＳ１８では、全ＭＦＰの指定が終了したか否かを判断する。「Ｙｅｓ」であればプロセスはステップＳ１９に移行し、「Ｎｏ」であればプロセスはステップＳ３に戻る。この場合、さらにもう１台の送信側ＭＦＰが選択されることになる（ステップＳ７）。なお、プロセスはステップＳ６に戻ってもよい。
ステップＳ１９では、全外部Ｐｕｂｌｉｃ  Ｓｅｒｖｉｃｅの指定が終了したか否かを判断する。「Ｙｅｓ」であればプロセスは終了し、「Ｎｏ」であればプロセスはステップＳ１に戻る
【００５７】
（５）送信側ＭＦＰにおける外部Ｐｕｂｌｉｃ  Ｓｅｒｖｉｃｅ情報の登録処理依頼
次に、図５Ａ及び図５Ｂを用いて、送信側ＭＦＰにおける外部Ｐｕｂｌｉｃ  Ｓｅｒｖｉｃｅ情報の登録処理依頼について説明する。この処理は、主に、送信側ＭＦＰ（例えば、第１ＭＦＰ５）の制御部（例えば、制御部２９）によって実行される。
【００５８】
ステップＳ２２では、ＭＦＰ取得要求処理（ステップＳ３に対応）を受信したか否かを判断する。「Ｙｅｓ」であればプロセスはステップＳ２４に移行し、「Ｎｏ」であればプロセスはステップＳ２３に移行する。
【００５９】
ステップＳ２３では、登録済みＭＦＰ名、ＭＦＰのＩＰアドレス情報を送信側常駐ソフトウェア６１に送信する。その後、プロセスはステップＳ２２に戻る。
ステップＳ２４では、パブリッククラウドサービス情報を受信したか否かを判断する（ステップＳ９に対応）。「Ｙｅｓ」であればプロセスはステップＳ２５に移行し、「Ｎｏ」であればプロセスはステップＳ２６に移行する。
【００６０】
ステップＳ２５では、パブリッククラウドサービス情報を仮記憶する。このときに、外部Ｐｕｂｌｉｃ  Ｓｅｒｖｉｃｅ情報と対となる外部Ｐｕｂｌｉｃ  Ｓｅｒｖｉｃｅ属性は「登録済み」になる。また、送信側常駐ソフトウェア６１のＩＰアドレス又はＵＲＬ情報が登録される。その後、プロセスはステップＳ２２に戻る。
【００６１】
ステップＳ２６では、指定送信宛先である受信側ＭＦＰ（例えば、第２ＭＦＰ１１）の外部Ｐｕｂｌｉｃ  Ｓｅｒｖｉｃｅ登録指示（ステップＳ１４に対応）を受信したか否かを判断する。「Ｙｅｓ」であればプロセスはステップＳ２７に移行し、「Ｎｏ」であればプロセスはステップＳ２８に移行する。
ステップＳ２８では、その他の処理を実行する。
【００６２】
ステップＳ２７では、宛先表において、指定送信宛先に関連付けてＰｕｂｌｉｃ  Ｓｅｒｖｉｃｅ名情報を登録する。なお、この段階では、まだ登録完了を指定送信宛先から受信していないので、送信属性を「登録中」に更新する。
【００６３】
ステップＳ２９では、指定送信宛先に送信するためのＣＳＶファイルを生成・記憶する。ＣＳＶファイルには、記憶済みのパブリッククラウドサービス情報と、送信側ＭＦＰのＦＡＸ番号、メールアドレス情報が含まれている。
【００６４】
ステップＳ３０では、宛先表において、指定送信宛先のメールアドレスが登録されているか否かを判定する。なお、メールアドレスは、送信側ＭＦＰと受信側ＭＦＰとが直接リアルタイムでメールデータを送信するためのメールアドレスも含む。「Ｙｅｓ」であればプロセスはステップＳ３１に移行し、「Ｎｏ」であればプロセスはステップＳ３２に移行する。
【００６５】
ステップＳ３１では、作成済みＣＳＶファイルを、ＳＭＰＴを用いて指定送信宛先である受信側ＭＦＰにメール送信する。
【００６６】
ステップＳ３２では、作成済みＣＳＶファイルを、ＦＡＸバイナリファイル通信方法を用いて指定送信宛先である受信側ＭＦＰに送信する。
【００６７】
ステップＳ３３では、受信側ＭＦＰの登録結果、受信側ＭＦＰ情報を受信するのを待つ。「登録結果」とは、受信側常駐ソフトにおける登録結果を受信側ＭＦＰから受信したか否かを判定するものである。また、「受信側ＭＦＰ情報」とは、受信側ＭＦＰの能力情報であり、例えば、電子メール関連情報（メールアドレス、ＰＯＰ受信間隔等）である。送信側ＭＦＰは、受信側ＭＦＰから送信されてきた情報（「登録済み」、「登録拒否」、「登録失敗」）を元に、宛先表における選択したユーザの外部Ｐｕｂｌｉｃ  Ｓｅｒｖｉｃｅ送信属性を変更する。例えば、宛先表における選択した外部Ｐｕｂｌｉｃ  Ｓｅｒｖｉｃｅ送信属性が「登録済み」となっている場合は、ＭＦＰ表示部において外部Ｐｕｂｌｉｃ  Ｓｅｒｖｉｃｅを選択すれば、送信宛先情報として表示されることになる。
【００６８】
ステップＳ３４では、受信側ＭＦＰの登録結果を送信側常駐ソフトウェア６１に通知する（ステップＳ１５に対応）。
ステップＳ３５では、受信側ＭＦＰでの外部Ｐｕｂｌｉｃ  Ｓｅｒｖｉｃｅ情報の登録がＯＫか否かを判断する。「Ｙｅｓ」であればプロセスはステップＳ３６に移行し、「Ｎｏ」であればプロセスはステップＳ３７に移行する。
【００６９】
ステップＳ３６では、受信側常駐ソフトウェアにおいて無事登録できた旨を受信側ＭＦＰから受信したので（ステップＳ３５でＹｅｓ）、宛先表において、「登録中」（ステップＳ２７参照）となっていた指定送信宛先のＰｕｂｌｉｃ  Ｓｅｒｖｉｃｅ送信属性を「登録完了」に更新する。
ステップＳ３７では、受信側常駐ソフトウェアにおいて無事登録できた旨を受信側ＭＦＰから受信しなかったので（ステップＳ３５でＮｏ）、宛先表において、「登録中」となっていた指定送信宛先のＰｕｂｌｉｃ  Ｓｅｒｖｉｃｅ送信属性を「未登録」に更新する。
【００７０】
ステップＳ３８では、受信した受信側ＭＦＰ情報が、宛先表における指定送信宛先情報には含まれていない情報を含むか否かを判断する。「受信側ＭＦＰ情報」とは、ステップＳ３３で受信側ＭＦＰから受信した、受信側ＭＦＰの能力情報である。「Ｙｅｓ」であればプロセスはステップＳ３９に移行し、「Ｎｏ」であればプロセスはステップＳ３９をスキップしてステップＳ２２に戻る。
ステップＳ３９では、送信側ＭＦＰ宛先表に指定送信宛先（受信側ＭＦＰ）に関する未登録のＭＦＰ情報（ＦＡＸ番号、ダイレクトメールアドレス情報、メールアドレス、ＰＯＰ受信間隔）を登録する。その後、プロセスはステップＳ２２に戻る。
以上より、例えば、ステップＳ３８において宛先表の指定送信宛先情報にメールアドレスは含まれていなくても受信側ＭＦＰ情報に電子メール関連情報（メールアドレス、ＰＯＰ受信間隔を含む）が含まれている場合は、ステップＳ３９において宛先表における指定送信宛先情報に電子メール関連情報を追加登録することになる。
【００７１】
（６）受信側ＭＦＰにおけるパブリッククラウドの登録処理
図６Ａ〜図６Ｃを用いて、受信側ＭＦＰにおけるパブリッククラウドの登録処理を説明する。この処理は、主に、受信側ＭＦＰ（例えば、第２ＭＦＰ１１）の制御部（例えば、制御部２９）によって実行される。
ステップＳ４２では、ＦＡＸバイナリデータを受信したか否かを判断する（ステップＳ３２に対応）。「Ｙｅｓ」であればプロセスはステップＳ４６に移行し、「Ｎｏ」であればプロセスはステップＳ４３に移行する。
【００７２】
ステップＳ４３では、ＳＭＴＰで受信したか否かを判断する（ステップＳ３１に対応）。「Ｙｅｓ」であればプロセスはステップＳ４６に移行し、「Ｎｏ」であればプロセスはステップＳ４４に移行する。
【００７３】
ステップＳ４４では、ＰＯＰ受信をしたか否かを判断する。「Ｙｅｓ」であればプロセスはステップＳ４６に移行し、「Ｎｏ」であればプロセスはステップＳ４５に移行する。
ステップＳ４５ではその他の処理を実行して、その後にプロセスはステップＳ４２に戻る。
【００７４】
以下、送信側ＭＦＰから送信された外部Ｐｕｂｌｉｃ  Ｓｅｒｖｉｃｅ情報を受信した受信側ＭＦＰは、受信側ＰＣの常駐ソフトウェアに上記外部Ｐｕｂｌｉｃ  Ｓｅｒｖｉｃｅ情報が登録されているかを確認する。
【００７５】
ステップＳ４６では、受信した「パブリッククラウドサービス情報」（ステップＳ２９に対応）が受信側常駐ソフトウェアに登録済みか否かを判断する。具体的には、外部Ｐｕｂｌｉｃ  Ｓｅｒｖｉｃｅ情報と対になっている外部Ｐｕｂｌｉｃ  Ｓｅｒｖｉｃｅ属性が「登録済み」となっているか否かを確認する。「登録済み」となっているか否かは、受信した情報と、記憶している履歴情報（受信側ＭＦＰにおいて、以前に受信側常駐ソフトウェアに登録を完了した「パブリッククラウドサービス情報」を履歴として記憶している）とを照合することにより行われる。「Ｙｅｓ」であればプロセスはステップＳ４７に移行し、送信側ＭＦＰ（例えば、第１ＭＦＰ５）への通知処理を行う。「Ｎｏ」であればプロセスはステップＳ４８に移行する。
【００７６】
ステップＳ４７では、以前に登録済みなので、登録ＯＫ情報を含むＣＳＶファイルを生成する。ＣＳＶファイルは、ＭＦＰ情報（ＦＡＸ番号、ダイレクトメールアドレス情報、メールアドレス、ＰＯＰ受信間隔）と、外部Ｐｕｂｌｉｃ  Ｓｅｒｖｉｃｅ登録ＯＫ情報を、含んでいる。その後、プロセスはステップＳ４９に移行する。
【００７７】
ステップＳ４９では、受信した送信側ＭＦＰ情報にメールアドレスが含まれているか否かを判断する。「送信側ＭＦＰ情報」とは、送信側ＭＦＰの能力情報であり、送信側ＭＦＰから「パブリッククラウドサービス情報」を受信するときに、送信側ＭＦＰ情報も受信する。「Ｙｅｓ」であればプロセスはステップＳ５０に移行し、「Ｎｏ」であればプロセスはステップＳ５１に移行する。
【００７８】
ステップＳ５０では、作成済みＣＳＶファイルを、ＳＭＴＰを用いて送信側ＭＦＰにメール送信する（ステップＳ３３に対応）。その後、プロセスはステップＳ４２に戻る。
【００７９】
ステップＳ５１では、作成済みＣＳＶファイルを、ＦＡＸバイナリファイル通信を用いて送信側ＭＦＰに送信する（ステップＳ３３に対応）。その後、プロセスはステップＳ４２に戻る。
【００８０】
ステップＳ４８では、受信した外部Ｐｕｂｌｉｃ  Ｓｅｒｖｉｃｅ情報が「登録中」であるか否かを判断する。具体的には、外部Ｐｕｂｌｉｃ  Ｓｅｒｖｉｃｅ情報と対になっている外部Ｐｕｂｌｉｃ  Ｓｅｒｖｉｃｅ属性が「登録中」となっているかを確認する。「Ｙｅｓ」であればプロセスはステップＳ５４に移行し、「Ｎｏ」であればプロセスはステップＳ５８に移行して受信した外部Ｐｕｂｌｉｃ  Ｓｅｒｖｉｃｅ情報の登録処理が行われる。
【００８１】
ステップＳ５４では、受信した外部Ｐｕｂｌｉｃ  Ｓｅｒｖｉｃｅ情報が「登録完了」か否かを判断する。「Ｙｅｓ」であればプロセスはステップＳ５５に移行し、「Ｎｏ」であればプロセスはステップＳ５６に移行する。
【００８２】
ステップＳ５５では、ＭＦＰ情報（ＦＡＸ番号、ダイレクトメールアドレス情報、メールアドレス、ＰＯＰ受信間隔）と、外部Ｐｕｂｌｉｃ  Ｓｅｒｖｉｃｅ登録ＯＫ情報を、ＣＳＶファイル形式で作成する。その後、プロセスはステップＳ４９に移行する。
【００８３】
ステップＳ５６では、受信した外部Ｐｕｂｌｉｃ  Ｓｅｒｖｉｃｅ情報が「登録失敗」であるか否かを判断する。「Ｙｅｓ」であればプロセスはステップＳ５７に移行し、「Ｎｏ」であればプロセスはステップＳ５４に戻る。
【００８４】
ステップＳ５７では、ＭＦＰ情報（ＦＡＸ番号、ダイレクトメールアドレス情報、メールアドレス、ＰＯＰ受信間隔）と、外部Ｐｕｂｌｉｃ  Ｓｅｒｖｉｃｅ登録エラー情報を、ＣＳＶファイル形式で作成する。その後、プロセスはステップＳ４９に移行する。
ステップＳ５８では、受信した外部Ｐｕｂｌｉｃ  Ｓｅｒｖｉｃｅ情報の状態を「登録中」に更新する。
【００８５】
ステップＳ５９では、外部Ｐｕｂｌｉｃ  Ｓｅｒｖｉｃｅ名情報、外部Ｐｕｂｌｉｃ  Ｓｅｒｖｉｃｅ情報（ＩＰアドレス／ＵＲＬ情報、ユーザアカウント情報、パスワード情報）を、ＵＤＰ／ＩＰパケットでブロードキャスト送信する。つまり、受信側ＭＦＰから受信側常駐ソフトウェア（例えば、受信側常駐ソフトウェア６３）への通知処理が実行される。
以上に述べたように、受信側ＭＦＰは、外部Ｐｕｂｌｉｃ  Ｓｅｒｖｉｃｅ情報を送信する前に受信側常駐ソフトウェアを検索し、検索の結果見つかった受信側常駐ソフトウェアに対して外部Ｐｕｂｌｉｃ  Ｓｅｒｖｉｃｅ情報を送信する。そのため、受信側常駐ソフトウェアがインストールされている受信側情報処理装置の情報を、受信側ＭＦＰに予め登録しておく必要がない。
なお、受信側ＭＦＰは、受信側常駐ソフトウェアを見付けられない場合は、送信側端末に対してエラー通知を送信する。したがって、受信側常駐ソフトウェアへの登録ができなかったことを、送信側ＭＦＰが知ることができる。
【００８６】
ステップＳ６０では、受信側常駐ソフトウェアから登録結果を受信したか否かを判断する（ステップＳ７０，７３に対応）。「Ｙｅｓ」であればプロセスはステップＳ６１に移行し、「Ｎｏ」であればプロセスはステップＳ６２に移行する。
【００８７】
ステップＳ６２では、所定時間Ｔ１が経過したか否かを判断する。「Ｙｅｓ」であればプロセスはステップＳ５７に移行し、「Ｎｏ」であればプロセスはステップＳ６０に戻る。登録結果を受信できなかった場合は、受信した外部Ｐｕｂｌｉｃ  Ｓｅｒｖｉｃｅ情報をＭＦＰに保持し、さらに、対となる外部Ｐｕｂｌｉｃ  Ｓｅｒｖｉｃｅ属性を「登録中」に更新する。
【００８８】
ステップＳ６１では、受信した外部Ｐｕｂｌｉｃ  Ｓｅｒｖｉｃｅ情報が「登録完了」であるか否かを判断する（ステップＳ７５に対応）。「Ｙｅｓ」であればプロセスはステップＳ６３に移行し、「Ｎｏ」であればプロセスはステップＳ６４に移行する。
以上のように、受信側常駐ソフトウェアによる外部Ｐｕｂｌｉｃ  Ｓｅｒｖｉｃｅ情報の登録は、自動的に行われる。つまり、オペレータによる操作が無くても、受信側常駐ソフトウェアに外部Ｐｕｂｌｉｃ  Ｓｅｒｖｉｃｅ情報を登録できる。
ステップＳ６３では、受信した外部Ｐｕｂｌｉｃ  Ｓｅｒｖｉｃｅ情報の状態を「登録済み」に更新する。
【００８９】
ステップＳ６４では、受信した外部Ｐｕｂｌｉｃ  Ｓｅｒｖｉｃｅ情報が「登録失敗」であるか否かを判断する。「Ｙｅｓ」であればプロセスはステップＳ５７に戻り、「Ｎｏ」であればプロセスはステップＳ６５に移行する。この場合は、受信側常駐ソフトウェアで自動登録設定がなされていない場合、オペレータ確認中を示す情報が、登録結果として受信側常駐ソフトウェアから返信されること（ステップＳ７３）に相当する。
【００９０】
ステップＳ６５では、受信側ＭＦＰのオペレータに対して、受信側常駐ソフトウェアでの外部Ｐｕｂｌｉｃ  Ｓｅｒｖｉｃｅ登録可否をメールで問合せる。この登録可否メールは、リンク先ＵＲＬを含んでいる（ステップＳ７６に対応）。この場合、受信側常駐ソフトウェア６３からの応答である仮登録状態を所定期間中に受信できたことを意味しており、それに基づき、受信・保持している外部Ｐｕｂｌｉｃ  Ｓｅｒｖｉｃｅ情報の対情報である外部Ｐｕｂｌｉｃ  Ｓｅｒｖｉｃｅ属性を「仮登録中」としている。なお、この通知処理では、新規外部Ｐｕｂｌｉｃ  Ｓｅｒｖｉｃｅの登録依頼があった旨と、常駐ソフトウェアのログイン先情報が通知される。
なお、メールで通知を受けたオペレータは、受信側ＭＦＰ（例えば、第２ＭＦＰ１１）にログインする。その結果、仮登録状態となっている外部Ｐｕｂｌｉｃ  Ｓｅｒｖｉｃｅ情報が表示される。
【００９１】
オペレータが「登録」を実行すれば、受信側ＭＦＰから、登録済みの通知が、ＨＴＴＰ  Ｐｏｓｔによって、受信側常駐ソフトウェアに対して、送信される（ステップＳ７８に対応）。そして、受信側ＭＦＰで「仮登録中」となっていた外部Ｐｕｂｌｉｃ  Ｓｅｒｖｉｃｅ情報及び外部Ｐｕｂｌｉｃ  Ｓｅｒｖｉｃｅ属性が「登録済み」に更新される。
【００９２】
オペレータが「未登録」を実行すれば、受信側ＭＦＰから、受信側常駐ソフトウェアに対して、ＨＴＴＰ  Ｐｏｓｔを用いて登録拒否が送信される（ステップＳ７９に対応）。そして、受信側ＭＦＰで「仮登録中」となっていた外部Ｐｕｂｌｉｃ  Ｓｅｒｖｉｃｅ情報及び外部Ｐｕｂｌｉｃ  Ｓｅｒｖｉｃｅ属性が「登録拒否」に更新される。
【００９３】
（７）受信側常駐ソフトウェアによる外部Ｐｕｂｌｉｃ  Ｓｅｒｖｉｃｅ情報の登録処理
図７Ａ及び図７Ｂを用いて、受信側常駐ソフトウェアによる外部Ｐｕｂｌｉｃ  Ｓｅｒｖｉｃｅ情報の登録処理を説明する。以下の処理は、主に、受信側常駐ソフトウェア（例えば、受信側常駐ソフトウェア６３）によって実行される。
【００９４】
ステップＳ６８では、パブリッククラウドサービス情報を受信しているか否かを判断する（ステップＳ５９に対応）。「Ｙｅｓ」であればプロセスはステップＳ６９に移行し、「Ｎｏ」であればプロセスはステップＳ７６に移行する。
【００９５】
ステップＳ６９では、受信したパブリッククラウドサービス情報が登録済みであるか否かを判断する。「Ｙｅｓ」であればプロセスはステップＳ７０に移行し、「Ｎｏ」であればプロセスはステップＳ７１に移行する。
【００９６】
ステップＳ７０では、受信した外部Ｐｕｂｌｉｃ  Ｓｅｒｖｉｃｅ情報登録完了を受信側ＭＦＰ（例えば、第２ＭＦＰ１１）に通知する（ステップＳ６０に対応）。その後、プロセスはステップＳ６８に戻る。
【００９７】
ステップＳ７１では、外部Ｐｕｂｌｉｃ  Ｓｅｒｖｉｃｅ情報の自動登録設定がされているか否かを判断する。「Ｙｅｓ」であればプロセスはステップＳ７２に移行し、「Ｎｏ」であればプロセスはステップＳ７３に移行する。
【００９８】
ステップＳ７３では、受信した外部Ｐｕｂｌｉｃ  Ｓｅｒｖｉｃｅ情報の登録を、オペレータが確認中であることを、受信側ＭＦＰ（例えば、第２ＭＦＰ１１）に通知する（ステップＳ６０に対応）。その後、プロセスはステップＳ６８に戻る。
以上に述べたように、受信側常駐ソフトウェアによる外部Ｐｕｂｌｉｃ  Ｓｅｒｖｉｃｅ情報の登録は、オペレータからの許可を受けた場合に実行される。このようにして、オペレータによって許可された外部Ｐｕｂｌｉｃ  Ｓｅｒｖｉｃｅ情報のみが登録できる。言い換えれば、オペレータによる許可無しで外部Ｐｕｂｌｉｃ  Ｓｅｒｖｉｃｅ情報が登録されることを防止できる。
ステップＳ７２では、ステップＳ６８で受信したパブリッククラウドサービス情報（外部Ｐｕｂｌｉｃ  Ｓｅｒｖｉｃｅ名情報、外部Ｐｕｂｌｉｃ  Ｓｅｒｖｉｃｅ情報）を登録する。
ステップＳ７４では、受信した外部Ｐｕｂｌｉｃ  Ｓｅｒｖｉｃｅ情報の登録完了を受信側ＭＦＰに通知する（ステップＳ６１に対応）。その後、プロセスはステップＳ６８に戻る。
【００９９】
ステップＳ７６では、パブリッククラウドサービス情報を受信したか否かを判断する。この情報の受信は、ステップＳ６５の登録可否メールを見たオペレータが、リンク先ＵＲＬをクリックすることにより、そのオペレータ端末から受信側常駐ソフトウェアにＨＴＴＰ  ＧＥＴによる取得送信要求が送信した結果への応答として得られたものである。「Ｙｅｓ」であればプロセスはステップＳ７７に移行し、「Ｎｏ」であればプロセスはステップＳ７８に移行する。
【０１００】
ステップＳ７７では、ステップＳ７６の送信要求に対して、パブリッククラウドサービス情報を、ＨＴＴＰ応答データとして、受信側ＭＦＰに送信する。その後、プロセスはＳ７６に戻る。
【０１０１】
ステップＳ７８では、オペレータ端末において、ＨＴＴＰ  ＰＯＳＴによるパブリッククラウドサービス情報の登録ＯＫ情報を受信したか否かを判断する。登録ＯＫ情報は、ステップＳ７７のＨＴＴＰ応答データを表示した後、オペレータが登録ＯＫを選択すれば、その登録ＯＫを示す情報がオペレータ端末から受信側常駐ソフトウェアに送信される情報である。「Ｙｅｓ」であればプロセスはステップＳ７３に戻り、「Ｎｏ」であればプロセスはステップＳ７９に移行する。
【０１０２】
ステップＳ７９では、オペレータから、ＨＴＴＰ  ＰＯＳＴによるパブリッククラウドサービス情報の登録拒否を受信したか否かを判断する。「Ｙｅｓ」であればプロセスはステップＳ８０に移行し、「Ｎｏ」であればプロセスはステップＳ８０をスキップしてステップＳ６８に戻る。
ステップＳ８０では、受信した外部Ｐｕｂｌｉｃ  Ｓｅｒｖｉｃｅ情報の登録失敗を、受信側ＭＦＰに通知する（ステップＳ５６に対応）。
【０１０３】
（８）ＭＦＰ送信処理
図８Ａ〜図８Ｃを用いて、ＭＦＰ送信処理を説明する。具体的には、送信側ＭＦＰで外部Ｐｕｂｌｉｃ  Ｓｅｒｖｉｃｅを選択し、スキャンを実行した場合の処理である。この処理は、送信側ＭＦＰ（例えば、第１ＭＦＰ５）の制御部（例えば、制御部２９）によって実行される。
ステップＳ８２では、外部Ｐｕｂｌｉｃ  Ｓｅｒｖｉｃｅによる応用送信が選択されるのを待つ。具体的には、図２１において、オペレータがＰｕｂｌｉｃ  Ｓｅｒｖｉｃｅを押下したか否かを判断する。
【０１０４】
ステップＳ８３では、オペレータが、第１ＭＦＰ５の表示部３５に表示された送信宛先である複数の外部Ｐｕｂｌｉｃ  Ｓｅｒｖｉｃｅから１つを選択する。このとき、例えば、図２１に示すように、表示部３５に、複数の外部パブリックサーバが転送先として表示される。また、この画面を用いて、スキャン解像度等も設定される。さらに、図２２に示すように、送信先ＭＦＰの名称も表示される。
Ｓ８４では、登録済み送信宛先一覧を表示する。具体的には、宛先表に含まれる複数の送信宛先のうち、選択されたＰｕｂｌｉｃ  Ｓｅｒｖｉｃｅについて、Ｐｕｂｌｉｃ  Ｓｅｒｖｉｃｅ送信属性が登録されている送信宛先を抽出して一覧表示する。送信属性が登録されているとは、ステップＳ３６にて登録完了となったものが相当する。複数種類のＰｕｂｌｉｃ  Ｓｅｒｖｉｃｅがあるので、ステップＳ８４で選択された種類に応じて、一覧表示される送信宛先は異なるものとなる。
【０１０５】
ステップＳ８５では、オペレータが、選択した外部Ｐｕｂｌｉｃ  Ｓｅｒｖｉｃｅの登録済み送信宛先（例えば、第２ＭＦＰ１１）を選択する。つまり、上記の一覧表示から、オペレータが送信先とする送信宛先を選択する。
ステップＳ８６では、全送信宛先が選択済みか否かを判断する。「Ｙｅｓ」であればプロセスはステップＳ８７に移行し、「Ｎｏ」であればプロセスはステップＳ８５に戻る。
【０１０６】
ステップＳ８７では、送信開始スタートボタンが押されるのを待つ。具体的には、オペレータが送信原稿をセットして、操作部３３のスキャン開始ボタン（図示せず）を押下する。
ステップＳ８８では、第１ＭＦＰ５に記憶されている選択されたパブリッククラウドサービス情報スキャンファイルアップロード（転送）要求を、送信側常駐ソフトウェア６１に通知する。（図１のＲ２）。
このステップでは、外部Ｐｕｂｌｉｃ  Ｓｅｒｖｉｃｅ情報（ユーザアカウント情報、パスワード情報）、は通知されない。図４Ａ〜図７Ｂまでに示す登録処理において、受信側常駐ソフトウェアに予めパブリッククラウドサービス情報を登録するので、図８Ａ以降で説明する送信処理においては、外部Ｐｕｂｌｉｃ  Ｓｅｒｖｉｃｅ情報は通知する必要がないからである。つまり、外部Ｐｕｂｌｉｃ  Ｓｅｒｖｉｃｅ名が特定できれば、受信側常駐ソフトウェアは、予め登録されている外部Ｐｕｂｌｉｃ  Ｓｅｒｖｉｃｅ情報を用いて、外部Ｐｕｂｌｉｃ  Ｓｅｒｖｉｃｅにログインすることができる。
なお、送信側常駐ソフトウェア及び受信側常駐ソフトウェアは、ＰＣつまり情報処理装置が稼動している間は常に、外部Ｐｕｂｌｉｃ  Ｓｅｒｖｉｃｅにログインしている。
【０１０７】
ステップＳ８９では、スキャナ２３に原稿があるか否かを判断する。「Ｙｅｓ」であればプロセスはステップＳ９０に移行し、「Ｎｏ」であればプロセスはステップＳ９６に移行する。
ステップＳ９０では、スキャナ２３が原稿の１ページスキャンを実行する。
【０１０８】
ステップＳ９１では、第１ＰＣ７から読取原稿取得要求を受信するのを待つ。この要求は、例えば、“ＨＴＴＰ  ＧＥＴ”を用いて実行される（図１のＲ３）。
【０１０９】
ステップＳ９２では、スキャンデータ１ページを第１ＰＣ７の送信側常駐ソフトウェア６１に送信する（図１のＲ３）。より具体的には、送信側常駐ソフトウェア６１からの読取原稿取得要求に対して、第１ＭＦＰ５はスキャナ２３にある原稿を１ページスキャンするごとに、データを１ファイルにして応答データとして送信する。１ページ１ファイルは、例えば、ｓｉｎｇｌｅ−ＴＩＦＦ形式のファイル又はスキャン原稿サイズ及びスキャン原稿データで構成されるファイルとする
ステップＳ９３では、記憶部３１に格納したスキャンデータを削除する。
【０１１０】
ステップＳ９４では、送信側常駐ソフトウェア６１からアップロード済みファイルＩＤを受信するのを待つ。これは、アップロードＯＫの通知である（図１のＲ５）。
ステップＳ９５では、受信したアップロード済みファイルＩＤを仮記憶する。その後、プロセスはステップＳ８９に戻る。
【０１１１】
ステップＳ９６では、第１ＰＣ７の送信側常駐ソフトウェア６１から読取原稿取得要求を受信するのを待つ。
ステップＳ９７では、スキャンデータ転送終了（送信側常駐ソフトウェア６３からの読取原稿取得要求に対して転送済みである旨）を、応答データとして、送信側常駐ソフトウェア６１に送信する。
【０１１２】
ステップＳ９８では、選択されたパブリッククラウドサービス情報と、送信側ＭＦＰのＦＡＸ番号、メールアドレス情報、記憶した複数のアップロード済みファイルＩＤを、ＣＳＶファイル形式に変換して記憶する。
ステップＳ９９では、仮記憶していたアップロード済みファイルＩＤ情報を削除する。
ステップＳ１００では、選択した送信宛先である受信側ＭＦＰのダイレクトメールアドレス情報、メールアドレスが登録されているか否かを判断する。「Ｙｅｓ」であればプロセスはステップＳ１０１に移行し、「Ｎｏ」であればプロセスはステップＳ１０２に移行する。
【０１１３】
次に、送信側ＭＦＰと受信側ＭＦＰの送信連絡処理を説明する。
ステップＳ１０１では、作成済みＣＳＶファイル（受信側ＭＦＰ情報）を、選択した送信宛先（「アップロード中」となっている外部Ｐｕｂｌｉｃ  Ｓｅｒｖｉｃｅ送信属性の全ての送信宛先）に対して、ＳＭＴＰを用いてメール送信する。さらに、「ダウンロード失敗」、「受信プリント完了済み」、「受信完了済み、プリント待ち状態」状態も送信される。このようにして、アップロードされた１又は複数のデータのＩＤが受信側ＭＦＰ（例えば、第２ＭＦＰ１１）に通知される（図１のＲ６）。この際に、「アップロード中」となっている外部Ｐｕｂｌｉｃ  Ｓｅｒｖｉｃｅ送信属性を「アップロード済み、受信依頼中」に更新する。その後、プロセスはステップＳ１０３に移行する。
【０１１４】
ステップＳ１０２では、作成済みＣＳＶファイルを、選択した送信宛先に対して、ＦＡＸバイナリファイル通信を用いてメール送信する。この際に、「アップロード中」となっている外部Ｐｕｂｌｉｃ  Ｓｅｒｖｉｃｅ送信属性を「アップロード済み、受信依頼中」に更新する。このようにして、アップロードされた１又は複数のデータのＩＤが受信側ＭＦＰ（例えば、第２ＭＦＰ１１）に通知される（図１のＲ６）。その後、プロセスはステップＳ１０５に移行する。
【０１１５】
ステップＳ１０３では、受信側ＭＦＰ（例えば、第２ＭＦＰ１１）の結果情報をメール受信するのを待つ。この場合に、外部Ｐｕｂｌｉｃ  Ｓｅｒｖｉｃｅ送信属性が「アップロード済み、受信依頼中」になっている状態の送信宛先で受信側ＭＦＰ情報と一致する外部Ｐｕｂｌｉｃ  Ｓｅｒｖｉｃｅ送信属性を、受信した状態に更新する。
【０１１６】
ステップＳ１０４では、受信側ＭＦＰ（例えば、第２ＭＦＰ１１）の結果情報を仮記憶する。その後、プロセスはステップＳ１０８に移行する。
ステップＳ１０５では、予め設定されている所定期間が経過するのを待つ。所定時間が経過するのは、送信側ＭＦＰ情報としてダイレクトメールアドレス情報、メールアドレスが登録されていない場合、又は送信宛先にてダイレクトメールアドレス情報、メールアドレスが登録されてない場合である。
【０１１７】
ステップＳ１０６では、受信側ＭＦＰ（例えば、第２ＭＦＰ１１）から結果情報をポーリング受信する。それにより、「ダウンロード失敗」、「受信プリント完了済み」、「受信完了済み、プリント待ち」状態を取得する。
ステップＳ１０７では、受信側ＭＦＰ（例えば、第２ＭＦＰ１１）の結果情報を仮記憶する。つまり、外部Ｐｕｂｌｉｃ  Ｓｅｒｖｉｃｅ送信属性を、受信した状態に更新する。
【０１１８】
ステップＳ１０８では、選択した全送信宛先（受信側ＭＦＰ）にＣＳＶファイルの送信を完了したか否かを判断する。「Ｙｅｓ」であればプロセスはステップＳ１０９に移行し、「Ｎｏ」であればプロセスはステップＳ１００に戻る。
【０１１９】
ステップＳ１０９では、受信側ＭＦＰ（例えば、第２ＭＦＰ）からのスキャンデータ転送終了情報にエラー結果があるか否かを判断する。「Ｙｅｓ」であればプロセスはステップＳ１１０に移行し、「Ｎｏ」であればプロセスはステップＳ１１１に移行する。
ステップＳ１１０では、送信エラーを表示部３５に表示する。その後、プロセスはステップＳ１１２に移行する。
以上に述べたように、送信側ＭＦＰは、エラー通知を受信すれば、エラー通知を受信したことを送信側常駐ソフトウェアに送信し、その後、送信側常駐ソフトウェアは、エラー通知を受信したことを報知する。この結果、送信側常駐ソフトウェアのオペレータが、エラーの発生を知ることができる。
【０１２０】
ステップＳ１１１では、送信ＯＫを表示部３５に表示する。その後、プロセスはステップＳ１１２に移行する。
【０１２１】
ステップＳ１１３では、ＣＳＶファイルに記憶していたアップロード済みファイルＩＤとスキャンファイル削除要求を、送信側常駐ソフトウェア６１に通知する。
ステップＳ１１４では、記憶していたＣＳＶファイルを削除する。その後、プロセスは終了する。
【０１２２】
（９）送信側常駐ソフトウェアによるアップロード処理
図９を用いて、送信側常駐ソフトウェアによるアップロード処理を説明する。具体的には、送信側常駐ソフトウェア６１とパブリックサーバ３との送受信処理を説明する。
【０１２３】
ステップＳ１１７では、スキャンファイルのアップロード（転送）要求を受信するのを待つ。（図１のＲ２、ステップＳ８８に対応）。
ステップＳ１１８では、受信したパブリッククラウドサービス情報を用いて、外部Ｐｕｂｌｉｃ  Ｓｅｒｖｉｃｅ（例えば、パブリックサーバ３）にセッションを確立する。続いて、送信側常駐ソフトウェアは、外部Ｐｕｂｌｉｃ  Ｓｅｒｖｉｃｅにログインしたことを送信側ＭＦＰに通知する（図１のＲ１）。
【０１２４】
ステップＳ１１９では、スキャンファイル転送要求を通知してきたＭＦＰに対して、読取原稿取得要求を送信する（図１のＲ３、ステップＳ９１及びステップＳ９６に対応））。
ステップＳ１２０では、スキャン原稿転送終了を受信したか否かを判断する。「Ｙｅｓ」であればプロセスはステップＳ１２１に移行し、「Ｎｏ」であればプロセスはステップＳ１２２に移行する
【０１２５】
ステップＳ１２１では、外部Ｐｕｂｌｉｃ  Ｓｅｒｖｉｃｅとのセッションを切断する。その後、プロセスは終了する。
【０１２６】
ステップＳ１２２では、受信したファイルを外部Ｐｕｂｌｉｃ  Ｓｅｒｖｉｃｅにアップロードする（図１のＲ４）。全ページ１ファイル形式への変換送信要求を受信していた場合は、送信側常駐ソフトウェア６１は、１ページ１ファイルの全ページを１ファイルに変換し、外部Ｐｕｂｌｉｃ  Ｓｅｒｖｉｃｅにファイルをアップロードする。１ページ１ファイル形式の場合は、１ページずつファイルを順次外部Ｐｕｂｌｉｃ  Ｓｅｒｖｉｃｅにアップロードする。
【０１２７】
ステップＳ１２３では、外部Ｐｕｂｌｉｃ  Ｓｅｒｖｉｃｅからアップロード済みファイルＩＤを受信するのを待つ。送信側常駐ソフトウェア６１は、外部Ｐｕｂｌｉｃ  Ｓｅｒｖｉｃｅにファイルをアップロードするごとに、ファイルＩＤ情報を取得する。
【０１２８】
ステップＳ１２４では、スキャンファイルアップロード要求を通知してきたＭＦＰ（例えば、第１ＭＦＰ５）に対して、アップロード済みファイルＩＤを送信する。これは、アップロードＯＫの通知である（図１のＲ５、ステップＳ９４に対応））。つまり、外部Ｐｕｂｌｉｃ  Ｓｅｒｖｉｃｅへのファイルアップロードが終了した時点で、送信側常駐ソフトウェア６１は、第１ＭＦＰ５に対して外部Ｐｕｂｌｉｃ  Ｓｅｒｖｉｃｅから取得したファイルＩＤ情報を、例えば、ＨＴＴＰ  Ｐｏｓｔ方式で通知する。その後、プロセスはステップＳ１２０に戻る。
【０１２９】
（１０）ＭＦＰ受信処理
図１０Ａ及び図１０Ｂを用いて、ＭＦＰ受信処理を説明する。つまり、受信側ＭＦＰ、受信側常駐ソフトウェア、外部Ｐｕｂｌｉｃ  Ｓｅｒｖｉｃｅとの間の送受信処理である。以下の処理は、主に、受信側ＭＦＰ（例えば、第２ＭＦＰ１１）の制御部（例えば、制御部２９）によって実行される。
【０１３０】
ステップＳ１２７では、ＦＡＸバイナリデータを受信したか否かを判断する（ステップＳ１０２に対応）。「Ｙｅｓ」であればプロセスはステップＳ１３１に移行し、「Ｎｏ」であればプロセスはステップＳ１２８に移行する。
ステップＳ１２８では、ＳＭＴＰで受信したか否かを判断する（ステップＳ１０１に対応）。「Ｙｅｓ」であればプロセスはステップＳ１３１に移行し、「Ｎｏ」であればプロセスはステップＳ１２９に移行する。
【０１３１】
ステップＳ１２９では、ＰＯＰ受信したか否かを判断する。「Ｙｅｓ」であればプロセスはステップＳ１３１に移行し、「Ｎｏ」であればプロセスはステップＳ１３０に移行する。
ステップＳ１３０ではその他の処理を実行して、その後にプロセスはステップＳ１２７に戻る。
【０１３２】
ステップＳ１３１では、受信したＣＳＶファイルから、ファイルＩＤを取り出して、記憶する。
ステップＳ１３２では、受信したＣＳＶファイルから、送信側ＭＦＰのＦＡＸ番号、メールアドレス情報を取り出して、記憶する。
【０１３３】
ステップＳ１３３では、受信したＣＳＶファイルを削除する。
ステップＳ１３４では、外部Ｐｕｂｌｉｃ  Ｓｅｒｖｉｃｅ名情報、ファイルＩＤ、及びスキャンファイルダウンロード（転送）要求を受信側常駐ソフトウェア６３に送信する。（図１のＲ７、ステップＳ１５１に対応）。
【０１３４】
ステップＳ１３５では、スキャンファイルダウンロード（転送）結果を受信するのを待つ（図１のＲ９、ステップＳ１５８に対応）。「Ｙｅｓ」であればプロセスはステップＳ１３６に移行し、「Ｎｏ」であればプロセスはステップＳ１４６に移行する。
ステップＳ１３６では、スキャンファイルのダウンロード結果がエラーであるか否かを判断する。「Ｙｅｓ」であればプロセスはステップＳ１３７に移行し、「Ｎｏ」であればプロセスはステップＳ１３８に移行する。
【０１３５】
ステップＳ１３７では、ＭＦＰ受信結果エラーを記憶部３１に記憶する。その後、プロセスはステップＳ１４１に移行する。
ステップＳ１３８では、印字エラーを記憶しているか否かを判断する。「Ｙｅｓ」であればプロセスはステップＳ１３９に移行し、「Ｎｏ」であればプロセスはステップＳ１４０に移行する。
【０１３６】
ステップＳ１３９では、ＭＦＰ受信結果の印字エラーを記憶部３１に記憶する。その後、プロセスはステップＳ１４１に移行する。
ステップＳ１４０では、ＭＦＰ受信結果ＯＫを記憶する。その後、プロセスはステップＳ１４１に移行する。
【０１３７】
ステップＳ１４１では、ＣＳＶファイルをＦＡＸバイナリ形式で受信したか否かを判断する。「Ｙｅｓ」であればプロセスはステップＳ１４２に移行し、「Ｎｏ」であればプロセスはステップＳ１４４に移行する。
ステップＳ１４２では、送信側ＭＦＰからポーリング送信指示を受信したか否かを判断する（ステップＳ１０６に対応）。
【０１３８】
ステップＳ１４３では、結果情報（受信側常駐ソフトウェアによるＰｕｂｌｉｃ  Ｓｅｒｖｉｃｅからのダウンロード結果であり、ステップＳ１０４，Ｓ１０７に対応）をポーリング送信する（ステップＳ１０６に対応）。その後、プロセスはステップＳ１４５に移行する。
ステップＳ１４４では、結果情報をＳＴＭＰで送信する（ステップＳ１０３に対応）。その後、プロセスはステップＳ１４５に移行する。
【０１３９】
ステップＳ１４５では、記憶していたパブリッククラウドサービス情報、ファイルＩＤ情報、送信側ＭＦＰ情報、結果情報（印字エラー又はＯＫ）を記憶部から削除する。その後、プロセスは終了する。
ステップＳ１４６では、受信した印字可能データの印字を実行する。
ステップＳ１４７では、印字が成功したか否かを判断する。「Ｙｅｓ」であればプロセスはステップＳ１３５に戻り、「Ｎｏ」であればプロセスはステップＳ１４８に移行する。
ステップＳ１４８では、印字エラー情報を記憶する。
【０１４０】
（１１）受信側常駐ソフトウェアのダウンロード処理
図１１を用いて、受信側常駐ソフトウェアのダウンロード処理を説明する。以下の処理は、受信側常駐ソフトウェア（例えば、受信側常駐ソフトウェア６３）によって実行される。
ステップＳ１５１では、第２ＭＦＰ１１からスキャンファイルのダウンロード要求を受信するのを待つ（ステップＳ１３４に対応）。
【０１４１】
ステップＳ１５２では、受信した外部Ｐｕｂｌｉｃ  Ｓｅｒｖｉｃｅ名情報、外部Ｐｕｂｌｉｃ  Ｓｅｒｖｉｃｅ情報（ユーザアカウント情報、パスワード情報）を用いて、パブリックサーバ３との間にセッションを確立する。つまり、指定外部Ｐｕｂｌｉｃ  Ｓｅｒｖｉｃｅに自動ログインする。
【０１４２】
ステップＳ１５３では、受信したファイルＩＤを外部Ｐｕｂｌｉｃ  Ｓｅｒｖｉｃｅに通知することで、スキャンファイルをダウンロードする。これは、受信側常駐ソフトウェア６３が外部Ｐｕｂｌｉｃ  Ｓｅｒｖｉｃｅに対してエクスポートを要求したことを意味する（図１のＲ８）。
【０１４３】
ステップＳ１５４では、パブリックサーバ３からスキャンファイルを受信したか否かを判断する。「Ｙｅｓ」であればプロセスはステップＳ１５５に移行し、「Ｎｏ」であればプロセスはステップＳ１６２に移行する。
ステップＳ１５５では、スキャンファイルがシングルＴＩＦＦであるか否かを判断する。「Ｙｅｓ」であればプロセスはステップＳ１５６に移行し、「Ｎｏ」であればプロセスはステップＳ１５７に移行する。本実施形態では、１ページ１ファイルを想定しているので、「Ｎｏ」であればＪＰＥＧファイルであるとして処理する。
【０１４４】
ステップＳ１５６では、ＴＩＦＦファイルをデコードすることで、ＭＦＰで印字可能なデータ形式（例えば、ＦＡＸ符号化ファイル）に変換する。
ステップＳ１５７では、ＪＰＥＰファイルをデコードすることで、ＭＦＰで印字可能なデータ形式（例えば、ＦＡＸ符号化ファイル）に変換する。
【０１４５】
ステップＳ１５８では、受信側ＭＦＰ（例えば、第２ＭＦＰ１１）に印字可能データを送信する（ステップＳ１３５に対応）。つまり、取得したファイルを受信側ＭＦＰに転送する（図１のＲ９）。
ステップＳ１５９では、受信して記憶していた全ファイルＩＤのダウンロード指示を実行済みであるか否かを判断する。「Ｙｅｓ」であればプロセスはステップＳ１６０に移行し、「Ｎｏ」であればプロセスはステップＳ１５３に戻る。
【０１４６】
ステップＳ１６０では、パブリックサーバ３とのセッションを切断する。
ステップＳ１６１では、受信側ＭＦＰ（例えば、第２ＭＦＰ１１）にＯＫを通知する（ステップＳ１３８でＮｏに対応）。また、この場合は、ダウンロードした共有ファイルデータを全てプリントできたことになるので、「受信プリント完了済み」を記憶する。そのＧ、
【０１４７】
ステップＳ１６２では、エラー応答を受信したか否かを判断する。「Ｙｅｓ」であればプロセスはステップＳ１６３に移行し、「Ｎｏ」であればプロセスはステップＳ１６４に移行する。
ステップＳ１６４では、所定時間が経過したか否かを判断する。「Ｙｅｓ」であればプロセスはステップＳ１６３に移行し、「Ｎｏ」であればプロセスはステップＳ１５４に戻る。
【０１４８】
ステップＳ１６３では、パブリックサーバ３とのセッションを切断する。
ステップＳ１６５では、受信側ＭＦＰにエラーを通知する（ステップＳ１３６でＹｅｓに対応）。また、この場合は、ダウンロードした共有ファイルデータを全てプリントできなかったことになるので、「受信完了済み、プリント待ち」を記憶する。その後、プロセスは終了する。
【０１４９】
２．第２実施形態
前記実施形態の一変形例としての第２実施形態を説明する。以下、第１実施形態と異なる部分のみを説明する。
【０１５０】
この実施形態では、外部Ｐｕｂｌｉｃ  Ｓｅｒｖｉｃｅを利用した送信が一度成功すれば、送信側ＭＦＰ内の宛先表に属性が追加され、次回以降、その送信宛先が選択されたときに送信方法選択画面において、パブリッククラウドサーバを用いた送信が優先的に表示される。
図１２Ａ、図１２Ｂ及び図１２Ｃを用いて、ＭＦＰ再送信処理を説明する。
ステップＳ２０５では、オペレータが送信宛先を選択する。具体的には、送信済みの送信宛先一覧を履歴情報として表示し、その中から送信宛先を選択する。再送信処理することは、別途図示しない再送信ボタンをオペレータが操作することで指示できる。先に送信宛先を選択した後、外部Ｐｕｂｌｉｃ  Ｓｅｒｖｉｃｅを選択することになっている。
【０１５１】
ステップＳ２０６では、宛先表の属性に「外部Ｐｕｂｌｉｃ  Ｓｅｒｖｉｃｅ送信成功」が記憶されているか否かを判断する。「Ｙｅｓ」であればプロセスはステップＳ２０７に移行し、「Ｎｏ」であればプロセスはステップＳ２０７〜２０９をスキップしてステップＳ２１０に移行する。
【０１５２】
ステップＳ２０７では、外部Ｐｕｂｌｉｃ  Ｓｅｒｖｉｃｅ送信を表示する。このとき、例えば、図２１に示すように、表示部３５に、外部パブリックサーバが転送先として表示される。また、この画面を用いて、スキャン解像度等も設定される。
さらに、図２３に示すように、送信先ＭＦＰの名称も表示される。この実施形態では、すでに送信がすでに成功している受信側ＭＦＰについては、「登録」の表示がなされている。なお、送信がすでに成功している受信側ＭＦＰのみが表示されてもよいし、送信が成功している受信側ＭＦＰが優先的に（例えば、上から順番に）表示されてもよい。
【０１５３】
ステップＳ２０８では、外部Ｐｕｂｌｉｃ  Ｓｅｒｖｉｃｅ送信が選択された否かを判断する。「Ｙｅｓ」であればプロセスはステップＳ２０９に移行し、「Ｎｏ」であればプロセスはステップＳ２０９をスキップしてステップＳ２１０に移行する。
ステップＳ２０９では、「外部Ｐｕｂｌｉｃ  Ｓｅｒｖｉｃｅ送信実行」を記憶する。
ステップＳ２１０では、全送信宛先が選択済みか否かを判断する。「Ｙｅｓ」であればプロセスはステップＳ２１１に移行し、「Ｎｏ」であればプロセスはステップＳ２０５に戻る。
ステップＳ２１１では、送信開始スタートボタンが押されるのを待つ。
【０１５４】
ステップＳ２１２では、外部Ｐｕｂｌｉｃ  Ｓｅｒｖｉｃｅ以外の宛先送信があるか否かを判断する。「Ｙｅｓ」であればプロセスはステップＳ２１３に移行し、「Ｎｏ」であればプロセスはステップＳ２１３をスキップしてステップＳ２１４に移行する。
ステップＳ２１３では、通常の送信を実行する。
【０１５５】
ステップＳ２１４では、「外部Ｐｕｂｌｉｃ  Ｓｅｒｖｉｃｅ送信実行」が記憶されているか否かを判断する。「Ｙｅｓ」であればプロセスはステップＳ８８に移行し、「Ｎｏ」であればプロセスは終了する。
以後、図１２ＢのステップＳ８８〜Ｓ１０２は第１実施形態と同様であるので、説明を省略する。
【０１５６】
また、図１２ＣにおけるステップＳ１０３〜１１４は第１実施形態と同様であるが、ステップＳ１１０及びステップＳ１１１とステップＳ１１２との間に、ステップＳ２１６〜ステップＳ２１８が挿入されている。
【０１５７】
ステップＳ２１６では、送信宛先の結果情報がＯＫか否かを判断する。「Ｙｅｓ」であればプロセスはステップＳ２１７に移行し、「Ｎｏ」であればプロセスはステップＳ２１７をスキップしてステップＳ２１８に移行する。
【０１５８】
ステップＳ２１７では、宛先表の属性に、「外部Ｐｕｂｌｉｃ  Ｓｅｒｖｉｃｅ送信成功」を記憶する。
ステップＳ２１８では、全送信宛先を確認したか否かを判断する。「Ｙｅｓ」であればプロセスはステップＳ１１２に移行し、「Ｎｏ」であればプロセスはステップＳ２１６に戻る。
以上に述べたように、受信側ＭＦＰが宛先表から選択されたときに、送信側ＭＦＰは、当該受信側ＭＦＰがサービス対象である旨の属性が追加されるように、宛先表を更新する。したがって、受信側ＭＦＰが一度選択されれば、宛先表が更新されるので、それ以降ではオペレータは受信側ＭＦＰを選択するときに、その受信側ＭＦＰがすでにサービス対象になっていることを知ることができる。
【０１５９】
３．第３実施形態
図１３〜図２０Ｂを用いて、第３実施形態を説明する。
この実施形態では、前記実施形態とは異なり、常駐ソフトウェアは、ＰＣ内ではなく、ＭＦＰ内に存在する。具体的には、送信側常駐ソフトウェアは送信側ＭＦＰ内にインストールされており、受信側常駐ソフトウェアは受信側ＭＦＰ内にインストールされている。そのような構成を図１３及び図１４に示す。
画像送信システム１’は、パブリックサーバ３と、第１ＭＦＰ５と、第２ＭＦＰ１１とを有している。図１４に示すように、第１ＭＦＰ５の制御部２９には、送信側常駐ソフトウェア６１がインストールされている。第２ＭＦＰ１１の制御部２９には、受信側常駐ソフトウェア６３がインストールされている。図１４の実施例では、第１ＭＦＰ５と第２ＭＦＰ１１はＬＡＮ９によって接続され、さらにパブリックサーバ３に接続されている。ただし、各機器の接続形態はこの実施例に限定されない。
以下の説明では、送信側ＭＦＰ及び送信側常駐ソフトウェアは一体のものとして説明され、受信側ＭＦＰ及び受信側常駐ソフトウェアは一体のものとして説明される。
【０１６０】
（１）送信Ｗｅｂ登録処理
図１５を用いて、送信Ｗｅｂ登録処理を説明する。以下の処理は、例えば、図示しないＰＣによって実行される。
ステップＳ２２１では、オペレータが、指定ＭＦＰ（例えば、第１ＭＦＰ５）の外部Ｐｕｂｌｉｃ  Ｓｅｒｖｉｃｅ設定ＵＲＬ情報を入力する。
【０１６１】
ステップＳ２２２では、外部Ｐｕｂｌｉｃ  Ｓｅｒｖｉｃｅ設定のＷｅｂ画面をパブリックサーバ３に要求する（ステップＳ２３５に対応）。この要求は、例えば、ＨＴＴＰ  ＧＥＴ送信で行われる。パブリックサーバ３は、例えば送信側ＭＦＰに対して、外部Ｐｕｂｌｉｃ  Ｓｅｒｖｉｃｅ設定のＷｅｂ画面を要求する（ステップＳ２３５のＹｅｓに対応）。
ステップＳ２２３では、パブリックサーバ３からＨＴＴＰ応答が受信されるのを待つ。
【０１６２】
ステップＳ２２４では、オペレータが、Ｗｅｂ画面で外部Ｐｕｂｌｉｃ  Ｓｅｒｖｉｃｅ名、外部Ｐｕｂｌｉｃ  ＳｅｒｖｉｃｅのＵＲＬ、ユーザアカウント、パスワードを入力する。
ステップＳ２２５では、パブリッククラウドサービス情報を、ＭＦＰに送信する（ステップＳ２３７に対応）。具体的にはＨＴＴＰ  Ｐｏｓｔ送信が行われる。
【０１６３】
ステップＳ２２６では、指定ＭＦＰ（例えば、第１ＭＦＰ５）の送信宛先一覧取得要求を指定ＭＦＰに送信する（ステップＳ２４０に対応）。具体的には、ＨＴＴＰ  Ｇｅｔ送信が行われる。
ステップＳ２２７では、指定ＭＦＰ（例えば、第１ＭＦＰ５）の送信宛先の一覧のＨＴＴＰ応答データを指定ＭＦＰから受信するのを待つ（ステップＳ２４１に対応）。
【０１６４】
ステップＳ２２８では、指定ＭＦＰの送信宛先一覧をＷｅｂ表示する。
ステップＳ２２９では、オペレータが、指定送信宛先データを表示済み送信宛先一覧から選択するのを受け付ける。つまり、選択したＭＦＰの宛先表に登録しているユーザの中から、外部Ｐｕｂｌｉｃ  Ｓｅｒｖｉｃｅを用いて送信したいユーザを選択する。
【０１６５】
ステップＳ２３０では、指定ＭＦＰ（例えば、送信側ＭＦＰである第１ＭＦＰ５）、指定送信宛先（例えば、受信側ＭＦＰである第２ＭＦＰ１１）に対する、外部Ｐｕｂｌｉｃ  Ｓｅｒｖｉｃｅ登録指示を送信する（ステップＳ２６のＹｅｓに対応）。具体的には、ＨＴＴＰ  Ｐｏｓｔ送信を行う。以後、外部Ｐｕｂｌｉｃ  Ｓｅｒｖｉｃｅ登録指示が、送信側ＭＦＰ、受信側ＭＦＰの順に送信される。受信側常駐ソフトウェアは、送信側ＭＦＰからの登録指示を受ければ、登録情報を登録する。
【０１６６】
ステップＳ２３１では、指定送信宛先（例えば、第２ＭＦＰ１１）の外部Ｐｕｂｌｉｃ  Ｓｅｒｖｉｃｅ登録結果のＨＴＴＰ応答データが受信されるのを待つ（ステップＳ３４に対応）。
ステップＳ２３２では、指定送信宛先である受信側ＭＦＰ（例えば、第２ＭＦＰ１１）の外部Ｐｕｂｌｉｃ  Ｓｅｒｖｉｃｅ登録が終了したか否かを判断する。「Ｙｅｓ」であればプロセスは終了し、「Ｎｏ」であればプロセスはステップＳ２２６に戻る。
【０１６７】
（２）送信側ＭＦＰにおける外部Ｐｕｂｌｉｃ  Ｓｅｒｖｉｃｅ情報の登録依頼処理
図１６Ａ及び図１６Ｂを用いて、送信側ＭＦＰにおける外部Ｐｕｂｌｉｃ  Ｓｅｒｖｉｃｅ情報の登録依頼処理を説明する。以下の処理は、主に、送信側ＭＦＰ（例えば、第１ＭＦＰ５）の制御部（例えば、制御部２９）にインストールされている送信側常駐ソフトウェア（例えば、送信側常駐ソフトウェア６１）によって実行される。
【０１６８】
ステップＳ２３５では、外部Ｐｕｂｌｉｃ  Ｓｅｒｖｉｃｅ設定のＷｅｂ画面取得要求処理を受信したか否かを判断する（ステップＳ２２２に対応）。「Ｙｅｓ」であればプロセスはステップＳ２３６に移行し、「Ｎｏ」であればプロセスはステップＳ２３７に移行する。
ステップＳ２３６では、外部Ｐｕｂｌｉｃ  Ｓｅｒｖｉｃｅ設定のＷｅｂ画面をパブリックサーバ３に送信する（ステップＳ２２３に対応）。その後、プロセスはステップＳ２３５に戻る。
【０１６９】
ステップＳ２３７では、パブリッククラウドサービス情報を受信したか否かを判断する（ステップＳ２２５に対応）。「Ｙｅｓ」であればプロセスはステップＳ２３８に移行し、「Ｎｏ」であればプロセスはステップＳ２４０に移行する。
ステップＳ２３８では、パブリッククラウドサービス情報を仮記憶する。
【０１７０】
ステップＳ２３９では、外部Ｐｕｂｌｉｃ  Ｓｅｒｖｉｃｅ情報に、ユーザアカウント情報、パスワードを登録する。
ステップＳ２４０では、送信宛先一覧取得要求を受信したか否かを判断する（ステップＳ２２６に対応）。「Ｙｅｓ」であればプロセスはステップＳ２４１に移行し、「Ｎｏ」であればプロセスはステップＳ２６に移行する。
【０１７１】
ステップＳ２４１では、送信宛先一覧を送信する（ステップＳ２２７に対応）。
ステップＳ２６〜ステップＳ３９は、図５Ａ〜図５Ｂ記載のものと同様である。
【０１７２】
（３）受信側ＭＦＰによる外部Ｐｕｂｌｉｃ  Ｓｅｒｖｉｃｅ情報の登録処理
図１７Ａ〜図１７Ｂを用いて、受信側ＭＦＰによる外部Ｐｕｂｌｉｃ  Ｓｅｒｖｉｃｅ情報の登録処理を説明する。以下の処理は、主に、受信側ＭＦＰ（例えば、第２ＭＦＰ１１）の制御部（例えば、制御部２９）にインストールされている受信側常駐ソフトウェア（例えば、受信側常駐ソフトウェア６３）によって実行される。
【０１７３】
ステップＳ４２〜ステップＳ５０及びステップＳ５８は、図６Ａ記載のものと同様である。
ステップＳ２４２（図１７Ｂ）では、受信した外部Ｐｕｂｌｉｃ  Ｓｅｒｖｉｃｅ情報（ＩＰアドレス／ＵＲＬ情報、ユーザアカウント情報、パスワード情報）を用いて、登録を行う。
【０１７４】
ステップＳ２４３では、パブリックサーバ３から登録結果を受信したか否かを判断する。「Ｙｅｓ」であればプロセスはステップＳ２４４に移行し、「Ｎｏ」であればプロセスはステップＳ２４６に移行する。
ステップＳ２４４では、受信した外部Ｐｕｂｌｉｃ  Ｓｅｒｖｉｃｅ情報が「登録完了」であるか否かを判断する。「Ｙｅｓ」であればプロセスはステップＳ２４５に移行し、「Ｎｏ」であればプロセスはステップＳ２４７に移行する。
【０１７５】
ステップＳ２４５では、受信した外部Ｐｕｂｌｉｃ  Ｓｅｒｖｉｃｅ情報のステータスを「登録済み」に更新する。その後、プロセスはステップＳ４７に移行する。
ステップＳ２４６では、所定時間Ｔ１が経過したか否かを判断する。「Ｙｅｓ」であればプロセスはステップＳ２４７に移行し、「Ｎｏ」であればプロセスはステップＳ２４３に戻る。
【０１７６】
ステップＳ２４７では、ＭＦＰ情報（ＦＡＸ番号、ダイレクトメールアドレス情報、メールアドレス、ＰＯＰ受信間隔）と、外部Ｐｕｂｌｉｃ  Ｓｅｒｖｉｃｅ登録エラー情報を、ＣＳＶファイル形式で作成する。その後、プロセスはステップＳ４９に戻る。
【０１７７】
（４）ＭＦＰ送信処理
図１８Ａ〜図１８Ｃを用いて、ＭＦＰ送信処理について説明する。以下の処理は、主に、送信側ＭＦＰ（例えば、第１ＭＦＰ５）の制御部（例えば、制御部２９）にインストールされている送信側常駐ソフトウェア（例えば、送信側常駐ソフトウェア６１）によって実行される。
ステップＳ８３〜ステップＳ８７は、前記実施形態に記載のものと同じである。
【０１７８】
ステップＳ２４８（図１８Ｂ）では、選択された外部Ｐｕｂｌｉｃ  Ｓｅｒｖｉｃｅ情報（ユーザアカウント情報、パスワード情報）を用いてログインし、スキャンファイルアップロード要求を外部Ｐｕｂｌｉｃ  Ｓｅｒｖｉｃｅに通知する。
【０１７９】
第１実施形態のＭＦＰ送信処理（図８Ａ〜図８Ｃ）と比べると、ステップＳ９１，ステップＳ９６，ステップＳ９７が省略されている。
ステップＳ９８〜ステップＳ１１４は第１実施形態の図８Ａ〜図８Ｃに記載のものと同じであり、ステップＳ２１６〜ステップＳ２１８は図１２Ｃに記載のものと同じである。
【０１８０】
（５）ＭＦＰ再送信処理
図１９Ａ〜図１９Ｃを用いて、ＭＦＰ再送信処理を説明する。
第２実施形態（図１２Ａ〜図１２Ｃ）と比べると、ステップＳ９１，ステップＳ９６，ステップＳ９７が省略されている。
【０１８１】
（６）ＭＦＰ受信処理
図２０Ａ及び図２０Ｂを用いて、ＭＦＰ受信処理を説明する。以下の処理は、主に、ＭＦＰ（例えば、第１ＭＦＰ５）の制御部（例えば、制御部２９にインストールされている送信側常駐ソフトウェア（例えば、送信側常駐ソフトウェア６１）によって実行される。
ステップＳ１２７〜１３３は、第１実施形態（図１０Ａ〜図１０Ｂ）のものと同じである。
【０１８２】
ステップＳ２５８では、外部Ｐｕｂｌｉｃ  Ｓｅｒｖｉｃｅ情報を用いてログインする。
ステップＳ２５９では、ファイルＩＤ及びスキャンダウンロード（転送）要求を外部Ｐｕｂｌｉｃ  Ｓｅｒｖｉｃｅに送信する。
【０１８３】
ステップＳ２６０では、スキャンファイルをダウンロードしたか否かを判断する。「Ｙｅｓ」であればプロセスはステップＳ２６１に移行し、「Ｎｏ」であればプロセスはステップＳ２６６に移行する。
ステップＳ２６１では、受信した印字可能データの印字実行を行う。
【０１８４】
ステップＳ２６２では、印字が成功したか否かを判断する。「Ｎｏ」であればプロセスはステップＳ２６３に移行し、「Ｙｅｓ」であればプロセスはステップＳ２６３をスキップしてステップＳ２６４に移行する。
ステップＳ２６４では、全ファイルをダウンロードしたか否かを判断する。「Ｙｅｓ」であればプロセスはステップＳ２５９に戻り、「Ｎｏ」であればプロセスはステップＳ２６５に移行する。
【０１８５】
ステップＳ２６５では、ＭＦＰ受信結果ＯＫを記憶する。その後、プロセスはステップＳ２６６に移行する。
ステップＳ２６６では、ＭＦＰ受信結果エラーを削除する。
【０１８６】
ステップＳ２６７では、外部Ｐｕｂｌｉｃ  Ｓｅｒｖｉｃｅからログアウトする。その後、プロセスはステップＳ１４１に移行する。
ステップＳ１４１〜ステップＳ１４５は、第１実施形態（図１０Ｂ）のものと同じである。
【０１８７】
４．本実施形態の作用効果
（Ａ）画像送信システム（例えば、図１に示す画像送信システム１）は、画像データを送信するためのシステムであって、宛先表を有する送信側端末（第１ＭＦＰ５）と、送信側端末と通信可能な送信側常駐ソフトウェア（例えば、送信側常駐ソフトウェア６１）がインストールされている送信側情報処理装置（例えば、第１ＰＣ７）と、受信側端末（例えば、第２ＭＦＰ１１）と、受信側端末と通信可能な受信側常駐ソフトウェア（例えば、受信側常駐ソフトウェア６３）がインストールされている受信側情報処理装置（第２ＰＣ１３）と、送信側常駐ソフトウェア及び受信側常駐ソフトウェアと通信可能なサーバ（例えば、パブリックサーバ３）と、を備えている。
【０１８８】
送信側常駐ソフトウェアは、サーバを利用するための外部Ｐｕｂｌｉｃ  Ｓｅｒｖｉｃｅ情報及び送信側端末を特定するための送信側端末情報を保持している。送信側常駐ソフトウェアは、送信側端末情報を利用することで送信側端末から宛先表を取得して（例えば、図４ＡのステップＳ１０及び図４ＢのステップＳ１１）、宛先表から選択された受信側端末に対して外部Ｐｕｂｌｉｃ  Ｓｅｒｖｉｃｅ情報を送信する。実施形態では、送信側端末にパブリッククラウド情報を送信し（例えば、図４ＡのステップＳ９）、さらに、送信側端末に受信側端末の外部Ｐｕｂｌｉｃ  Ｓｅｒｖｉｃｅ情報の登録指示を送信する（例えば、図４ＢのステップＳ１４）。受信側端末は、受信側常駐ソフトウェアに対して外部Ｐｕｂｌｉｃ  Ｓｅｒｖｉｃｅ情報を送信する（例えば、図６ＣのステップＳ５９）。受信側常駐ソフトウェアは、外部Ｐｕｂｌｉｃ  Ｓｅｒｖｉｃｅ情報を登録する（例えば、図７ＡのステップＳ７２）。
【０１８９】
このシステムでは、送信側端末に保持された宛先表を用いることにより、送信側常駐ソフトウェアが、外部Ｐｕｂｌｉｃ  Ｓｅｒｖｉｃｅ情報を受信側端末に送信する。そして、受信側端末が、外部Ｐｕｂｌｉｃ  Ｓｅｒｖｉｃｅ情報を受信側常駐ソフトウェアに送信する。最後に、受信側常駐ソフトウェアが、外部Ｐｕｂｌｉｃ  Ｓｅｒｖｉｃｅ情報を登録する。このようにして、オペレータが入力することなく、受信側端末に外部Ｐｕｂｌｉｃ  Ｓｅｒｖｉｃｅ情報を登録される。この結果、画像送信システムにおいて、外部Ｐｕｂｌｉｃ  Ｓｅｒｖｉｃｅ情報の事前登録処理を簡単な方法で実行できるようになる。
【０１９０】
送信側端末から画像データが送信側常駐ソフトウェアを介してサーバにアップロードされると（例えば、図８ＢのステップＳ９２）、次に受信側端末から受信側常駐ソフトウェアにダウンロード要求が送信され（例えば、図１０ＡのステップＳ１３４）、受信側常駐ソフトウェアが外部Ｐｕｂｌｉｃ  Ｓｅｒｖｉｃｅ情報を利用することで画像データをサーバからダウンロードして（例えば、図１１のステップＳ１５３及びＳ１５４）、さらに受信側端末に送信する（例えば、図１１のステップＳ１５８）。
【０１９１】
（Ｂ）画像送信システム（例えば、図１５に示す画像送信システム１’）は、画像データを送信するためのシステムであって、宛先表を有しており送信側常駐ソフトウェア（例えば、送信側常駐ソフトウェア６１）がインストールされている送信側端末（例えば、第１ＭＦＰ５）と、受信側常駐ソフトウェア（例えば、受信側常駐ソフトウェア６３）がインストールされている受信側端末（例えば、第２ＭＦＰ１１）と、送信側常駐ソフトウェア及び受信側常駐ソフトウェアと通信可能なサーバ（例えば、パブリックサーバ３）と、を備えている。
【０１９２】
送信側常駐ソフトウェアは、サーバを利用するための外部Ｐｕｂｌｉｃ  Ｓｅｒｖｉｃｅ情報を保持している。送信側常駐ソフトウェアは、宛先表から選択された受信側端末に対して、外部Ｐｕｂｌｉｃ  Ｓｅｒｖｉｃｅ情報を送信する。実施形態では、送信側端末にパブリッククラウド情報を送信し（例えば、図４ＡのステップＳ９）、さらに、送信側端末に受信側端末の外部Ｐｕｂｌｉｃ  Ｓｅｒｖｉｃｅ情報の登録指示を送信する（例えば、図４ＢのステップＳ１４）。受信側常駐ソフトウェアは、外部Ｐｕｂｌｉｃ  Ｓｅｒｖｉｃｅ情報を登録する（例えば、図７ＡのステップＳ７２）。
【０１９３】
このシステムでは、送信側端末に保持された宛先表を用いることにより、送信側常駐ソフトウェアが外部Ｐｕｂｌｉｃ  Ｓｅｒｖｉｃｅ情報を受信側端末に送信する。そして、受信側常駐ソフトウェアが外部Ｐｕｂｌｉｃ  Ｓｅｒｖｉｃｅ情報を登録する。このようにして、オペレータが入力することなく、受信側端末に外部Ｐｕｂｌｉｃ  Ｓｅｒｖｉｃｅ情報を登録できる。この結果、画像送信システムにおいて、外部Ｐｕｂｌｉｃ  Ｓｅｒｖｉｃｅ情報の事前登録処理を簡単な方法で実行できるようになる。
【０１９４】
（Ｃ）画像送信準備方法は、宛先表を有する送信側端末（例えば、第１ＭＦＰ５）と、送信側常駐ソフトウェア（例えば、送信側常駐ソフトウェア６１）と、受信側端末（例えば、第２ＭＦＰ１１）と、受信側常駐ソフトウェア（例えば、受信側常駐ソフトウェア６３）と、送信側常駐ソフトウェア及び受信側常駐ソフトウェアと通信可能なサーバ（例えば、パブリックサーバ３）と、を備えた画像送信システム（例えば、画像送信システム１）に用いられる。画像送信準備方法は、画像データの送信を準備するための方法であり、以下の工程を含んでいる。
◎サーバを利用するための外部Ｐｕｂｌｉｃ  Ｓｅｒｖｉｃｅ情報の登録を受け付ける（例えば、図４ＡのステップＳ１及びステップＳ２）。
◎送信側端末から宛先表を取得する（例えば、図４ＢのステップＳ１１でＹｅｓ）。
◎宛先表から選択された受信側端末に対して外部Ｐｕｂｌｉｃ  Ｓｅｒｖｉｃｅ情報を送信する。実施形態では、送信側端末にパブリッククラウド情報を送信し（例えば、図４ＡのステップＳ９）、さらに、送信側端末に受信側端末の外部Ｐｕｂｌｉｃ  Ｓｅｒｖｉｃｅ情報の登録指示を送信する（例えば、図４ＢのステップＳ１４）。
◎外部Ｐｕｂｌｉｃ  Ｓｅｒｖｉｃｅ情報を受信側常駐ソフトウェアに登録する（例えば、図７ＡのステップＳ７２）。
【０１９５】
この方法では、送信側端末に保持された宛先表を用いることにより、外部Ｐｕｂｌｉｃ  Ｓｅｒｖｉｃｅ情報が受信側端末に送信される。そして、パブリックらクラウドサービス情報は受信側常駐ソフトウェアに登録される。このようにして、オペレータが入力することなく、受信側端末に外部Ｐｕｂｌｉｃ  Ｓｅｒｖｉｃｅ情報が登録される。この結果、画像送信システムにおいて、外部Ｐｕｂｌｉｃ  Ｓｅｒｖｉｃｅ情報の事前登録処理を簡単な方法で実行できるようになる。
【０１９６】
（Ｄ）送信側常駐ソフトウェア（例えば、送信側常駐ソフトウェア６１）は、宛先表を有する送信側端末（例えば、第１ＭＦＰ５）と、送信側常駐ソフトウェア（例えば、送信側常駐ソフトウェア６１）と、受信側端末（例えば、第２ＭＦＰ１１）と、受信側常駐ソフトウェア（例えば、受信側常駐ソフトウェア６３）と、送信側常駐ソフトウェア及び受信側常駐ソフトウェアと通信可能なサーバ（例えば、パブリックサーバ３）と、を備えた画像送信システム（例えば、画像送信システム１）に用いられる。送信側常駐ソフトウェアは、以下の工程を実行する。
◎サーバを利用するための外部Ｐｕｂｌｉｃ  Ｓｅｒｖｉｃｅ情報の登録を受け付ける（例えば、図４ＡのステップＳ１及びＳ２）。
◎送信側端末から宛先表を取得する（例えば、図４ＡのステップＳ１０及び図４ＢのステップＳ１１）。
◎宛先表から選択された受信側端末に対して外部Ｐｕｂｌｉｃ  Ｓｅｒｖｉｃｅ情報を送信する。実施形態では、送信側端末にパブリッククラウド情報を送信し（例えば、図４ＡのステップＳ９）、さらに、送信側端末に受信側端末の外部Ｐｕｂｌｉｃ  Ｓｅｒｖｉｃｅ情報の登録指示を送信する（例えば、図４ＢのステップＳ１４）。
【０１９７】
このソフトウェアは、送信側端末に登録された外部Ｐｕｂｌｉｃ  Ｓｅｒｖｉｃｅ情報を用いることにより、受信側端末に外部Ｐｕｂｌｉｃ  Ｓｅｒｖｉｃｅ情報を送信する。したがって、オペレータが受信側端末に対して外部Ｐｕｂｌｉｃ  Ｓｅｒｖｉｃｅ情報を登録する必要がない。以上の結果、画像送信システムにおいて、外部Ｐｕｂｌｉｃ  Ｓｅｒｖｉｃｅ情報の事前登録処理を簡単な方法で実行できるようになる。
【０１９８】
（Ｅ）受信側常駐ソフトウェア（例えば、受信側常駐ソフトウェア６３）は、宛先表を有する送信側端末（例えば、第１ＭＦＰ５）と、送信側常駐ソフトウェア（例えば、送信側常駐ソフトウェア６１）と、受信側端末（例えば、第２ＭＦＰ１１）と、受信側常駐ソフトウェア（例えば、受信側常駐ソフトウェア６３）と、送信側常駐ソフトウェア及び受信側常駐ソフトウェアと通信可能なサーバ（パブリックサーバ３）と、を備えた画像送信システム（例えば、画像送信システム１）に用いられる。受信側常駐ソフトウェアは、以下の工程を実行する。
◎サーバを利用するための外部Ｐｕｂｌｉｃ  Ｓｅｒｖｉｃｅ情報を受信する（例えば、図７ＡのステップＳ６８でのＹｅｓ）。
◎外部Ｐｕｂｌｉｃ  Ｓｅｒｖｉｃｅ情報を登録する（例えば、図７ＡのステップＳ７２）。
【０１９９】
このソフトウェアでは、受信側常駐ソフトウェアが、外部Ｐｕｂｌｉｃ  Ｓｅｒｖｉｃｅ情報を送信側常駐ソフトウェアから受信して、登録する。このようにして、画像送信システムにおいて、外部Ｐｕｂｌｉｃ  Ｓｅｒｖｉｃｅ情報の事前登録処理を簡単な方法で実行できるようになる。
【０２００】
５．他の実施形態
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組み合せ可能である。
【産業上の利用可能性】
【０２０１】
本発明は、パブリックサーバに画像データをアップロードする画像送信システムに広く適用できる。
【符号の説明】
【０２０２】
１        画像送信システム
３        パブリックサーバ
５        第１ＭＦＰ
７        第１ＰＣ
９        第１ＬＡＮ
１１      第２ＭＦＰ
１３      第２ＰＣ
１５      第２ＬＡＮ
２１      プリンタ
２３      スキャナ
２５      ＦＡＸ制御部
２７      ＩＦＡＸ制御部
２９      制御部
３１      記憶部
３３      操作部
３５      表示部
３７      ＮＣＵ
３９      モデム
４１      ネットワークＩ／Ｆ
４３      バス
４５      ＰＳＴＮ
５１      制御部
５３      記憶部
５５      操作部
５７      表示部
６１      送信側常駐ソフトウェア
６３      受信側常駐ソフトウェア
７１      フォルダ
８１      記憶部
８３      仮想記憶エリア
【図１】
2013085060.tif 000003
【図２】
2013085060.tif 000004
【図３】
2013085060.tif 000005
【図４Ａ】
2013085060.tif 000006
【図４Ｂ】
2013085060.tif 000007
【図５Ａ】
2013085060.tif 000008
【図５Ｂ】
2013085060.tif 000009
【図６Ａ】
2013085060.tif 000010
【図６Ｂ】
2013085060.tif 000011
【図６Ｃ】
2013085060.tif 000012
【図７Ａ】
2013085060.tif 000013
【図７Ｂ】
2013085060.tif 000014
【図８Ａ】
2013085060.tif 000015
【図８Ｂ】
2013085060.tif 000016
【図８Ｃ】
2013085060.tif 000017
【図９】
2013085060.tif 000018
【図１０Ａ】
2013085060.tif 000019
【図１０Ｂ】
2013085060.tif 000020
【図１１】
2013085060.tif 000021
【図１２Ａ】
2013085060.tif 000022
【図１２Ｂ】
2013085060.tif 000023
【図１２Ｃ】
2013085060.tif 000024
【図１３】
2013085060.tif 000025
【図１４】
2013085060.tif 000026
【図１５】
2013085060.tif 000027
【図１６Ａ】
2013085060.tif 000028
【図１６Ｂ】
2013085060.tif 000029
【図１７Ａ】
2013085060.tif 000030
【図１７Ｂ】
2013085060.tif 000031
【図１８Ａ】
2013085060.tif 000032
【図１８Ｂ】
2013085060.tif 000033
【図１８Ｃ】
2013085060.tif 000034
【図１９Ａ】
2013085060.tif 000035
【図１９Ｂ】
2013085060.tif 000036
【図１９Ｃ】
2013085060.tif 000037
【図２０Ａ】
2013085060.tif 000038
【図２０Ｂ】
2013085060.tif 000039
【図２１】
2013085060.tif 000040
【図２２】
2013085060.tif 000041
【図２３】
2013085060.tif 000042